(57)【要約】【課題】電子タグを利用した不正発見作業を、いつでも効率良く行うことのできる遊技機を提供すること。【解決手段】パチンコ機における遊技の進行を制御する主制御装置２７１、及び遊技球の払い出しを制御する払出制御装置３１１には、ＩＣタグ３０３，３２０ａが取り付けられている。ＩＣタグ３０３，３２０ａにはＩＤ情報が記憶されており、これらＩＤ情報はＩＣタグ３０３，３２０ａにおいて所定周波数の電波を受信することで応答波として発信される。この場合に、ＩＤ情報を読み取るリーダ装置５３１，５６１が各ＩＣタグ３０３，３２０ａに対応させて設けられている。そして、主側ＩＣタグ３０３からＩＤ情報を読み取る主用リーダ装置５３１は払出制御装置３１１に搭載され、払出側ＩＣタグ３２０ａからＩＤ情報を読み取る払出用リーダ装置５６１は主制御装置２７１に搭載されている。【選択図】      図３６
2014223536.tif 000002
【特許請求の範囲】
【請求項１】
固有の識別情報を格納した記憶部とこの識別情報を含む電波を発信するアンテナ部とを備えた電子タグを、遊技機内部又は背面部に設置された制御装置に取り付けた遊技機であって、
前記アンテナ部から発信される電波を受信することで前記識別情報の読み取りを行うリーダ手段と、
遊技機内部又は背面部において前記リーダ手段を被包する被包手段とを備えたことを特徴とする遊技機。
【発明の詳細な説明】
【技術分野】
【０００１】
本発明は、遊技機に関するものである。
【背景技術】
【０００２】
パチンコ遊技機やスロットマシン等の遊技機は、遊技制御処理を実行するＣＰＵ、遊技制御プログラムが記憶されたＲＯＭ、遊技の進行により発生する各種データを一時的に記憶するＲＡＭ等の各種電子部品が実装された制御基板を備えている。そして、ＲＯＭに記憶された遊技制御プログラムに従って、ＣＰＵにより遊技機に搭載されている各種遊技機器が制御され、一連の遊技が実行される。
【０００３】
この種の遊技機では、制御基板を正規のものとは異なる不正な制御基板に変更したり、ＲＯＭ（ＲＯＭがＣＰＵと共に１チップ化されている場合には当該チップ）を不正なものに交換したりする等の不正行為の発生が数多く報告されている。
【０００４】
このような不正行為に対処すべく、例えば、制御基板を透明な基板ボックス内に収容して制御基板の状態を外部から容易に視認できるようにする、基板ボックスに封印構造（いわゆる、カシメ構造）を設けて基板ボックスの開封時には破壊等による開封履歴を残すようにする、または基板ボックスを構成する複数のケース体を跨ぐように再貼付不可能でありかつ剥がすと痕跡が残る有脆弱性の封印シールを貼り付ける等の不正対策が採用されている（例えば特許文献１参照）。これらの不正対策は、基板ボックスが開封された事実や制御基板が交換された事実を目視確認する場合にその確認作業を補助するものであり、またこのような不正対策の存在により不正行為を躊躇させる効果がある。
【０００５】
上記の各種不正対策はいずれも制御基板や基板ボックスを目視確認するものであり、制御基板は遊技機の背面や筐体内部に隠されて配置されているため、日々の確認作業は煩雑である。また、封印箇所を目視では確認しづらい程度に巧妙に復元したものを発見するのは大変な作業である。特に、遊技機設置台数の多い大型の遊技ホールではそのような問題が顕著となる。
【０００６】
一方、目視確認による不正対策以外の新たな不正対策として、例えば、制御基板又は当該制御基板を収容する基板ボックスに、固有ＩＤ等の識別情報が記憶されたＩＣチップ部及びアンテナ部を含む電子タグを取り付けた構成が開示されている（例えば特許文献２参照）。
【先行技術文献】
【特許文献】
【０００７】
【特許文献１】特開２００３−１８０９１７号公報
【特許文献２】特開２００５−１４３６４１号公報
【発明の概要】
【発明が解決しようとする課題】
【０００８】
電子タグを取り付けておけば、遊技ホールの管理者などがリーダ装置により識別情報の読取作業を行うことで、制御基板の不正な交換等の発生有無が確認される。このような電子タグを用いた不正対策では、リーダ装置による読み取り結果により不正発見をすることができることから、封印箇所の目視確認に比べて不正発見のための労力は少ないし、不正の見落としも少なくなることが期待される。
【０００９】
しかしながら、電子タグを用いた不正対策においても、電子タグから発信される電波が微弱であることに起因してリーダ装置を電子タグに近づける必要があるため、遊技機内部や背面を遊技ホール通路側に開放しなければならない。このような開放作業は封印箇所の目視確認の場合と変わりないことから、遊技機の稼動中などには確認作業できないなど作業時間が制限されるとともに効率面でも依然として改良の余地がある。
【００１０】
本発明は、上記事情に鑑みてなされたものであり、電子タグを利用した不正発見作業を、いつでも効率良く行うことのできる遊技機を提供することを主たる目的とするものである。
【課題を解決するための手段】
【００１１】
本発明は、固有の識別情報を格納した記憶部とこの識別情報を含む電波を発信するアンテナ部とを備えた電子タグを、遊技機内部又は背面部に設置された制御装置に取り付けた遊技機であって、
前記アンテナ部から発信される電波を受信することで前記識別情報の読み取りを行うリーダ手段と、
遊技機内部又は背面部において前記リーダ手段を被包する被包手段とを備えたことを特徴とする。
【発明の効果】
【００１２】
本発明によれば、電子タグを利用した不正発見作業を、いつでも効率良く行うことのできる遊技機を提供することが可能となる。
【図面の簡単な説明】
【００１３】
【図１】パチンコ機を示す正面図である。
【図２】パチンコ機の主要な構成を展開又は分解して示す斜視図である。
【図３】パチンコ機を構成する本体枠の前面構成を示す正面図である。
【図４】遊技盤の構成を示す正面図である。
【図５】遊技球発射機構の構成を示す正面図である。
【図６】前扉枠の構成を示す背面図である。
【図７】パチンコ機の構成を示す背面図である。
【図８】パチンコ機の背面構成を主要部品毎に分解して示す分解斜視図である。
【図９】パチンコ機裏面における第１制御基板ユニット、第２制御基板ユニット及び裏パックユニットの配置を示す模式図である。
【図１０】本体枠及び遊技盤の構成を示す背面図である。
【図１１】本体枠の背面構成を示す斜視図である。
【図１２】遊技盤の背面構成を示す斜視図である。
【図１３】軸受け金具の構成を示す斜視図である。
【図１４】第１制御基板ユニットの構成を示す正面図である。
【図１５】第１制御基板ユニットの構成を示す斜視図である。
【図１６】第１制御基板ユニットの分解斜視図である。
【図１７】第１制御基板ユニットの背面構成を示す分解斜視図である。
【図１８】主制御装置の斜視図である。
【図１９】主制御装置の分解斜視図である。
【図２０】基板ボックスを説明するための説明図である。
【図２１】主制御装置に貼り付けられた封印シール周辺を拡大して示す斜視図である。
【図２２】主制御装置の基板ボックスに形成された貼付板部の縦断面図である。
【図２３】封印シールの構成を示す断面図である。
【図２４】（ａ）は封印シールの構成を示す正面図、（ｂ）は封印シールの構成を示す背面図である。
【図２５】封印シールの構成を示す背面図である。
【図２６】（ａ）は封印シール周辺を拡大して示す正面図、（ｂ）は封印シール周辺を拡大して示す側面図、（ｃ）は封印シール周辺を拡大して示す背面図である。
【図２７】第２制御基板ユニットの構成を示す正面図である。
【図２８】第２制御基板ユニットの構成を示す斜視図である。
【図２９】第２制御基板ユニットの分解斜視図である。
【図３０】裏パックユニットの構成を示す正面図である。
【図３１】裏パックユニットの分解斜視図である。
【図３２】パチンコ機の電気的構成を示すブロック図である。
【図３３】主制御装置及び払出制御装置周辺を拡大して示すパチンコ機の背面図である。
【図３４】払出制御装置の斜視図である。
【図３５】図３４のＡ―Ａ線断面図である。
【図３６】各リーダ装置によるＩＤ情報の読み取りに関する電気的構成を示すブロック図である。
【図３７】不正検出処理を示すフローチャートである。
【図３８】別のリーダ装置の設置に関する構成を説明するための説明図である。
【図３９】各リーダ装置によるＩＤ情報の読み取りに関する別の電気的構成を示すブロック図である。
【発明を実施するための形態】
【００１４】
はじめに、本実施の形態から抽出され得る発明を、必要に応じて効果等を示しつつ説明する。
【００１５】
手段１．固有の識別情報を格納した記憶部（ＩＣチップ３０５，３２０ｂ）とこの識別情報を含む電波を発信するアンテナ部（アンテナ部３０６，３２０ｃ）とを備えた電子タグ（ＩＣタグ３０３，３２０ａ）を、遊技機内部又は背面部に設置された制御装置（主制御装置２７１、払出制御装置３１１）に取り付けた遊技機であって、
前記アンテナ部から発信される電波を受信することで前記識別情報の読み取りを行うリーダ手段（リーダ装置５３１，５６１）と、
遊技機内部又は背面部において前記リーダ手段を被包する被包手段（基板ボックス２７３，３１５）とを備えたことを特徴とする遊技機。
【００１６】
手段１によれば、制御装置に設けられた電子タグは、記憶部とアンテナ部とを備えており、記憶部に格納された識別情報は電波としてアンテナ部から発信される。この場合、アンテナ部から発信される電波を受信することで識別情報の読み取りを行うリーダ手段が遊技機に搭載されている。これにより、遊技ホールの管理者等が識別情報の読み取り作業を行う必要はないため、識別情報の読み取りをいつでも効率良く行うことができる。
【００１７】
但し、遊技機にリーダ手段を設置した構成においては、当該リーダ手段に対する不正が想定される。例えば、リーダ手段に対して不正な電子部品などを取り付けることで、実際には識別情報を読み取っていないにも関わらず識別情報を読み取っているように偽装するなどといった不正が想定される。この場合、電子タグを利用した不正の発見が正確に行われなくなってしまう。これに対して、リーダ手段を被包する被包手段を設けたことにより、リーダ手段に対する不正を抑制することができる。
【００１８】
手段２．手段１において、前記被包手段は、前記電子タグが取り付けられた制御装置又は当該制御装置とは別の制御装置の一部を構成し、制御基板（主制御基板２７８、払出制御基板３１１ａ）を被包する基板ボックス（基板ボックス２７３，３１５）であり、
当該基板ボックス内に前記リーダ手段を収容したことを特徴とする遊技機。
【００１９】
手段２によれば、既存の基板ボックスが被包手段としての機能を果たすこととなるため、構成の簡素化を図りつつリーダ手段に対する不正を抑制することができる。
【００２０】
手段３．手段２において、前記リーダ手段を、前記識別情報の読み取り対象となる電子タグが取り付けられた制御装置とは別の制御装置の基板ボックスに収容したことを特徴とする遊技機。
【００２１】
不正行為として、制御装置を不正な装置に交換するといった行為が想定される。この場合に、電子タグが取り付けられた制御装置の基板ボックスにリーダ手段を収容すると、不正を監視すべき対象である制御装置が不正な装置に交換された際にリーダ手段が不正なものに交換されるおそれがある。そうすると、リーダ手段による識別情報の読み取りに基づいて制御装置に対する不正を発見しようとしてもそれができない。これに対して、手段３によれば、リーダ手段が、識別情報の読み取り対象となる電子タグが取り付けられた制御装置とは別の制御装置の基板ボックスに収容されている。したがって、既存の基板ボックスを被包手段とした構成において、上記不都合の発生を抑制することができる。
【００２２】
手段４．手段２又は３において、前記リーダ手段を収容する前記基板ボックスを透明性材料により成形するとともに、当該基板ボックスを有する制御装置を、制御基板の所定の板面（素子搭載面５３７）が基板ボックスを通して目視可能なように遊技機内部又は背面部に設置し、
前記リーダ手段を、前記所定の板面側に設けたことを特徴とする遊技機。
【００２３】
手段４によれば、リーダ手段が収容された制御装置を遊技機から離脱させなくても、当該制御装置の基板ボックス内に収容されたリーダ手段を目視することができる。よって、リーダ手段に動作不良が発生した場合などには、リーダ手段の確認を簡易的に行うことができる。
【００２４】
手段５．手段２乃至４のいずれかにおいて、前記リーダ手段を収容する前記基板ボックスは透明性材料により成形されており、さらに前記リーダ手段はハウジング（ハウジング５３１ａ）を有するリーダ装置であり、
前記制御基板の板面には電子部品を実装しない非実装領域（対峙領域Ｓ）を設けるとともに、前記ハウジングが前記制御基板の板面において前記非実装領域とのみ対峙するように前記リーダ装置を配置したことを特徴とする遊技機。
【００２５】
リーダ装置を基板ボックス内に収容した構成において、当該基板ボックス内に収容された制御基板の電子部品がリーダ装置のハウジングによって隠れてしまうと、基板ボックスを開封しリーダ装置を取り外さない限りその隠れてしまった電子部品を目視することができない。これに対して、手段５によれば、制御基板の板面におけるリーダ装置のハウジングと対峙する領域には、電子部品が実装されていない。したがって、基板ボックス内にリーダ装置を収容した構成において、上記不都合の発生を抑制することができる。
【００２６】
なお、非実装領域には配線パターンも形成しないようにすることで、基板ボックス内にリーダ装置を収容した構成において、制御基板に形成された配線パターンが当該リーダ装置のハウジングによって隠れてしまうといった不都合の発生を抑制することができる。
【００２７】
手段６．手段２乃至４のいずれかにおいて、前記リーダ手段として、前記制御基板に配線パターンを形成するとともに、電子部品を実装することでリーダ回路を形成したことを特徴とする遊技機。
【００２８】
手段６によれば、リーダ手段が制御基板に対してリーダ回路として形成されているので、リーダ手段の嵩を極力小さくすることができる。これにより、リーダ手段を基板ボックスに収容するようにした構成において、その基板ボックスの薄型化を図ることが可能となる。
【００２９】
手段７．手段２乃至６のいずれかにおいて、前記リーダ手段を基板ボックス内に有する制御装置は、
前記リーダ手段が読み取った識別情報を入力する入力手段（コネクタ５５２）と、
当該入力手段の入力結果に基づいて不正行為の有無を判定する判定手段（払出制御基板３１１ａのＣＰＵ５１１）と、
当該判定手段の判定結果に基づいて異常処理を実行する異常処理実行手段（払出制御基板３１１ａのＣＰＵ５１１）とを備えたことを特徴とする遊技機。
【００３０】
手段７によれば、リーダ手段による識別情報の読み取り結果は当該リーダ手段が収容された制御装置に入力され、その入力結果に基づいて不正行為の有無が判定されるとともに、不正行為が有ったと判定された場合には異常処理が実行される。本構成とすることにより、リーダ手段を基板ボックス内に設けた構成において、リーダ手段からの読み取り結果の出力に関する構成を良好なものとすることができる。
【００３１】
手段８．手段１乃至７のいずれかにおいて、一方の面に粘着層（粘着層３０２）を有するベースシート（ベースシート３０１）の粘着層側に前記電子タグを貼り付けてシール部材（封印シール３００）を構成し、そのシール部材を前記制御装置に貼り付けたことを特徴とする遊技機。
【００３２】
手段８によれば、シール部材が制御装置に貼り付けられることにより、電子タグが同制御装置に取り付けられる。この場合、電子タグを、ベースシートに覆われるようにして制御装置に貼り付けることができ、同電子タグの保護を図ることができる。
【００３３】
手段９．手段８において、長尺状をなす前記アンテナ部を直線状、略直線状又は弧状に拡げた状態で前記電子タグを前記ベースシートに貼り付ける一方、前記ベースシートを、前記制御装置への貼付状態から剥がす際にその応力に伴い破損が生じる程度の脆弱性を有するものとしたことを特徴とする遊技機。
【００３４】
手段９によれば、ベースシートは一旦貼り付けた後は、剥がす際の応力により破損するため、その破損に伴って長尺状のアンテナ部にも破損が生じる。したがって、シール部材を剥がす場合には電子タグの破損を招くこととなり、電子タグを取り出そうとする不正行為が抑制できる。
【００３５】
手段１０．手段９において、複数に分割可能な基板ボックス（基板ボックス２７３）内に制御基板（主制御基板２７８）を収容して前記制御装置を構成し、前記基板ボックスの分割部分を跨ぐようにして前記シール部材を貼り付けたことを特徴とする遊技機。
【００３６】
手段１０によれば、基板ボックスの分割部分を跨ぐようにしてシール部材が貼り付けられているため、制御基板の取り出しや、基板ボックス内への不正な電子部品の装着などを目的として基板ボックスを開放する場合には、シール部材を一旦剥がさなければならない。そのため、上記のとおりシール部材を剥がすことに伴い電子タグの破損が生じ、その後の電子タグの使用を不可とすることができる。これにより、不正行為の発見が可能となる。
【００３７】
手段１１．手段１０において、第１電子タグ（主側ＩＣタグ３０３）を有する第１シール部材（封印シール３００）と、第１電子タグとは異なる識別情報が格納された第２電子タグ（払出側ＩＣタグ３２０ａ）を有する第２シール部材（封印シール３２０）とを備えるとともに、
前記第１電子タグから識別情報を読み取る第１リーダ手段（主用リーダ装置５３１）と、前記第２電子タグから識別情報を読み取る第２リーダ手段（払出用リーダ装置５６１）とを備え、
前記第１シール部材を複数ある制御装置のうちの第１制御装置（主制御装置２７１）の基板ボックス（基板ボックス２７３）に貼り付けるとともに、前記第１リーダ手段を当該第１制御装置とは異なる第２制御装置（払出制御装置３１１）の基板ボックス（基板ボックス３１５）に収容し、
さらに、前記第２シール部材を前記第２制御装置の基板ボックスに貼り付けるとともに、前記第２リーダ手段を当該第２制御装置の基板ボックスとは異なる被包手段により被包したことを特徴とする遊技機。
【００３８】
手段１１によれば、電子タグを有するシール部材が遊技機において遊技に関わる複数種の制御装置に対して貼り付けられ、遊技機に対する不正をより効果的に抑制することができる。
【００３９】
この場合に、第１制御装置に貼り付けられた第１シール部材の第１電子タグから識別情報を読み取る第１リーダ手段が、第２電子タグを有する第２シール部材が貼り付けられた第２制御装置の基板ボックスに収容されている。また、第２電子タグから識別情報を読み取る第２リーダ手段が第２制御装置の基板ボックスとは異なる被包手段により被包されている。
【００４０】
かかる構成とすることにより、複数種の制御装置においてそれぞれに対する不正行為の発見が可能となるだけでなく、以下の効果を奏する。つまり、第１制御装置に対する不正を発見されないように第１リーダ手段に対して不正を行おうとすると、第２制御装置の基板ボックスを開放する、又は第２制御装置を交換する必要が生じる。これに対して、第２制御装置の基板ボックスが開放されたり、第２制御装置が交換されたりすると、第２リーダ手段にて第２電子タグから識別情報を読み取ることができなくなることで、遊技ホールの管理者等は上記一連の不正を発見することができる。
【００４１】
以上より、本構成によれば、第１制御装置に対する不正行為を効果的に抑制することができる。特に、発見されないように第１制御装置に対して不正を行うためには、少なくとも第１リーダ手段及び第２リーダ手段に対して不正を行う必要が生じ、その作業が手間となることで不正行為者に対して不正行為を躊躇させる効果が得られると考えられる。
【００４２】
手段１２．手段１１において、前記第２リーダ手段を前記第１制御装置の基板ボックスに収容したことを特徴とする遊技機。
【００４３】
手段１２によれば、第１制御装置に対して行った不正を発見されないようにするためには、第２制御装置の基板ボックスに収容された第１リーダ手段に対しても不正を行う必要が生じる。また、第２制御装置に対して行った不正を発見されないようにするためには、第１制御装置の基板ボックスに収容された第２リーダ手段に対して不正を行う必要が生じる。つまり、第１制御装置又は第２制御装置のいずれか一方に不正を行いそれを発見されないようにするためには、他方に対しても不正行為を行う必要が生じる。したがって、第１制御装置又は第２制御装置のいずれかに対して不正を行うとする不正行為者にとってはその作業が手間となり、不正行為を躊躇させる効果が得られると考えられる。
【００４４】
また、本構成においては、第１リーダ手段と第２リーダ手段とが相互に不正を監視することとなるため、比較的簡素な構成により上記効果を得ることができる。
【００４５】
手段１３．手段１２において、前記第１制御装置と前記第２制御装置とを所定方向に並設し、
これら各制御装置において相互に対峙する領域に前記第１電子タグ及び前記第２電子タグを配置するとともに、
前記第２制御装置において前記第１電子タグと対峙する領域に前記第１リーダ手段を配置し、前記第１制御装置において前記第２電子タグと対峙する領域に前記第２リーダ手段を配置したことを特徴とする遊技機。
【００４６】
手段１３によれば、上記手段１２を備えた構成において、各リーダ手段における各識別情報の読み取りを良好に行うことができる。
【００４７】
手段１４．手段１１乃至１３のいずれかにおいて、前記各電子タグは、前記アンテナ部にて所定周波数の電波を受信することにより前記識別情報を含んだ電波を応答波として発信する構成であり、
前記第１電子タグの前記所定周波数と、前記第２電子タグの前記所定周波数とを異ならせたことを特徴とする遊技機。
【００４８】
手段１４によれば、いずれかのリーダ手段から呼出波が発信された場合、その呼出波によって対象外の電子タグから応答波が発信されてしまうことを確実に防止することができる。これにより、各リーダ手段において識別情報の読み取りを正確に行うことができる。特に、上記手段１３を備え、第１電子タグ、第２電子タグ、第１リーダ手段、及び第２リーダ手段が比較的近い位置にある構成においては、各リーダ手段にて対象外の電子タグから応答波を受信してしまうことが想定されるが、本手段によれば、対象外の電子タグから応答波が発信されないため、これを抑制することができる。
【００４９】
手段１５．手段１１乃至１４のいずれかにおいて、前記各電子タグの電波の発信領域（伝播範囲ＷＡ１，ＷＡ２）を、それぞれ対象外のリーダ手段が含まれないように設定したことを特徴とする遊技機。
【００５０】
手段１５によれば、リーダ手段にて対象外の電子タグから応答波を受信してしまうことを確実に防止することができる。これにより、各リーダ手段において識別情報の読み取りを正確に行うことができる。特に、上記手段１３を備え、第１電子タグ、第２電子タグ、第１リーダ手段、及び第２リーダ手段が比較的近い位置にある構成においては、各リーダ手段にて対象外の電子タグから応答波を受信してしまうことが想定されるが、本手段によれば、これを確実に防止することができる。
【００５１】
手段１６．手段１１乃至１５のいずれかにおいて、前記第１制御装置は遊技の主たる制御を実行する主制御装置（主制御装置２７１）であり、前記第２制御装置は当該主制御装置による制御に基づいて遊技媒体の払い出しの制御を実行する払出制御装置（払出制御装置３１１）であることを特徴とする遊技機。
【００５２】
主制御装置及び払出制御装置のいずれに関しても不正行為が想定される。これに対して、それぞれの基板ボックスに電子タグを有するシール部材を貼り付けることで、遊技機に対する不正行為の発見を効果的に行うことができる。
【００５３】
この場合に、上記手段１１を備えた構成においては、不正行為者に対して特に主制御装置に対する不正行為を躊躇させることができると考えられる。また、上記手段１２を備えた構成においては、不正行為者に対して主制御装置及び払出制御装置の両方に対する不正行為を躊躇させることができると考えられる。
【００５４】
手段１７．手段１０乃至１６のいずれかにおいて、前記基板ボックスは、複数のケース体（ボックスベース２７６、ボックスカバー２７７）からなり、
それらケース体を相互に締結する締結具（ネジ２８３，２８４）を設けるとともに、当該締結具の少なくとも一部を覆うようにして前記シール部材を貼り付け、
さらに、前記ベースシートを略四角形状に形成するとともに、
前記アンテナ部を、その長手方向が前記ベースシートのすべての辺方向と交差し、前記ベースシートとともに前記ケース体間の境界を跨ぐように前記ベースシートの一辺側から他の一辺側に亘って延び、さらに前記締結具における前記シールに覆われる部分と対峙するようにして配置したことを特徴とする遊技機。
【００５５】
手段１７によれば、シール部材をその隅角からではなく、その一辺全体から剥がそうとしたとしても、アンテナ部の長手方向と交差する方向に破壊が生じる。そして、破壊が生じた位置にてアンテナ部が分断されることとなる。この場合、遊技ホールの管理者等が読取装置により記憶部に格納された識別情報を確認できなくなるので、制御基板に対して不正が行われたことを容易に且つ確実に発見することができる。
【００５６】
また、アンテナ部は、締結具と対峙するようにして配置されている。したがって、締結具を取り外すべく締結具を露出させるようにシール部材を巧妙に剥がそうとしたとしても、そのためにはシール部材におけるアンテナ部が配置された部分を剥がす必要が生じる。そして、かかる場合、アンテナ部が分断され読取装置により識別情報が確認できなくなることで、制御基板に対して不正が行われたことを確実に発見することができる。
【００５７】
なお、「略四角形状」としては、正方形状や長方形状などが考えられる。
【００５８】
手段１８．手段１７において、前記締結具を着脱自在とし、
前記シール部材を前記締結具の取り外し方向側の端部（頭部２８３ａ，２８４ａの頂上）を覆うようにして貼り付けるとともに、前記アンテナ部を当該端部と対峙するようにして配置したことを特徴とする遊技機。
【００５９】
手段１８によれば、締結具は着脱自在であるため、遊技ホールなどにおける制御基板の点検時やメンテナンス時には締結具の締結を解除し制御基板を取り出すことが可能である。かかる構成において、制御基板を不正に取り出すためには締結具の取り外し方向側の端部を露出させる必要がある。この場合に、当該端部を露出させるようにシール部材を巧妙に剥がそうとしたとしても、当該端部と対峙するようにしてアンテナ部が配置されているためシール部材におけるアンテナ部が配置された部分を剥がす必要が生じる。したがって、締結具の取り外し方向側の端部を露出させようとするとアンテナ部が分断されて読取装置により識別情報が確認できなくなり、制御基板に対して不正が行われたことを確実に発見することができる。
【００６０】
なお、「着脱自在」である構成とは、ケース体や締結具などの破壊を伴わずに当該締結具の着脱を行うことができる構成をいい、例えば、ネジやビスなどを締結具として用いる構成をいう。
【００６１】
手段１９．手段１８において、前記アンテナ部を、前記締結具の前記端部を跨ぐようにして配置したことを特徴とする遊技機。
【００６２】
手段１９によれば、アンテナ部が締結具の取り外し方向側の端部を跨いでいるので、当該端部を露出させる際にアンテナ部の分断が生じる機会を多く設けることができる。よって、制御基板に対して不正が行われたことを確実に発見することができる。
【００６３】
手段２０．手段１８において、前記シール部材が貼り付けられる各ケース体には相互に連通する連通孔（ネジ孔２８５，２８６）を設けるとともに、前記締結具は前記連通孔に挿通された状態で締結を行い、
前記アンテナ部を、前記連通孔における前記締結具の取り外し方向の開口（取り外し側開口２８９，２９０）を跨ぐようにして配置したことを特徴とする遊技機。
【００６４】
手段２０によれば、アンテナ部が連通孔における締結具の取り外し方向の開口を跨いでいるので、締結具の取り外し方向側の端部を露出させる際にアンテナ部の分断が生じる機会を多く設けることができる。よって、制御基板に対して不正が行われたことを確実に発見することができる。
【００６５】
手段２１．手段２０において、前記アンテナ部の短手方向の寸法を、前記開口の開口幅よりも小さくするとともに、
前記アンテナ部を、前記開口を挟んで当該開口の周縁部を架渡すようにして配置したことを特徴とする遊技機。
【００６６】
手段２１によれば、開口を挟んで当該開口の周縁部を架渡すようにしてアンテナ部が配置されているので、シール部材を剥がす場合にはアンテナ部における開口の周縁部に対応する位置にシール部材を剥がす力に伴う応力が集中し易くなる。そして、アンテナ部の短手方向の寸法は開口の開口幅よりも小さくなっている。よって、アンテナ部の分断が生じる機会を多く設けることができ、制御基板に対して不正が行われたことを確実に発見することができる。
【００６７】
なお、「連通孔における締結具の取り外し方向に位置する開口側を段差状に拡径させて締結具の頭部を収容する頭収容部を形成し、この頭収容部の段差部に前記頭部が当接することで前記締結具の挿入方向の移動が規制される構成」においては、アンテナ部の短手方向の寸法を、頭収容部の孔径よりも小さくする構成としてもよい。
【００６８】
手段２２．手段１７乃至２１のいずれかにおいて、前記ケース体の前記シール部材が貼り付けられる貼付面（貼付面２８１ａ，２８１ｂ，２８２ａ，２８２ｂ）に対応させて、前記アンテナ部が前記締結具と対峙する位置となるように前記シール部材の貼付位置をガイドするガイド手段（囲い部Ｃ）を設けたことを特徴とする遊技機。
【００６９】
手段２２によれば、ガイド手段が設けられていることにより、シール部材を貼付面に貼り付けることで自ずとアンテナ部が締結具と対峙する。これにより、アンテナ部と締結具とを確実に対峙させることができる。また、シール部材を貼り付ける場合の作業性を低下させることなく、アンテナ部と締結具とを対峙させることができる。
【００７０】
手段２３．手段２２において、前記ガイド手段は、前記貼付面を囲むようにして形成された囲い枠（囲い部Ｃ）であることを特徴とする遊技機。
【００７１】
手段２３によれば、シール部材を貼り付ける場合には囲い枠により囲まれた領域内にシール部材を持っていけばよく、シール部材を貼り付ける場合の作業性を向上させることができる。また、制御基板に対して不正を行うべくシール部材を剥がそうとしても、シール部材は囲い枠にて囲まれているためにその剥がし行為が非常に困難なものとなる。したがって、当該剥がし行為に際してベースシートが破壊され易くなり、さらにはアンテナ部が分断され易くなる。よって、制御基板に対して不正が行われたことを確実に発見することができる。さらには、囲い枠がガイド手段としての機能とシール部材の剥がし行為を困難なものとする機能とを併せ持つこととなり、構成の簡素化を図りつつ上記効果を奏することができる。
【００７２】
手段２４．手段２３において、前記貼付面に前記シール部材を貼り付ける場合に前記アンテナ部が前記締結具と対峙する位置から外れない範囲内で、前記貼付面が前記シールの面積よりも広くなるように前記囲い枠を形成したことを特徴とする遊技機。
【００７３】
手段２４によれば、貼付面がシール部材の面積よりも広くなるように囲い枠が形成されている。また、貼付面はシール部材を貼り付ける場合にアンテナ部が締結具と対峙する位置から外れない範囲内で設定されている。これにより、シール部材を貼付面に貼り付ける場合の貼付位置にゆとりが生まれ、上記手段２３における効果を奏するようにした構成においてシール部材を貼り付ける場合の作業性を向上させることができる。
【００７４】
手段２５．手段１７乃至２４のいずれかにおいて、前記締結具を複数設け、
さらに前記シール部材を前記複数の締結具に対してそれぞれの少なくとも一部を覆うようにして貼り付けるとともに、前記アンテナ部を前記複数の締結具における前記シール部材に覆われる部分と対峙するようにして配置したことを特徴とする遊技機。
【００７５】
手段２５によれば、締結具が複数設けられているので、各ケース体が強固に締結される。かかる構成においては、制御基板を取り外すためにはすべての締結具の締結を解除する必要がある。この場合に、シール部材が複数の締結具に対してそれぞれの少なくとも一部を覆うようにして貼り付けられている。よって、不正に締結具の締結を解除する作業を煩雑なものとすることができ、さらにはかかる不正な解除作業に際してベースシートの破壊が生じる機会を多く設けることができる。一の締結具を巧妙に露出させることができたとしても、他の締結具を露出させる必要があるからである。
【００７６】
また、複数の締結具におけるシール部材に覆われる部分と対峙するようにしてアンテナ部が配置されているので、不正に締結具の締結が解除される場合においてアンテナ部の分断が生じる機会を多く設けることができる。よって、制御基板に対して不正が行われたことを確実に発見することができる。
【００７７】
手段２６．手段１７乃至２４のいずれかにおいて、前記各ケース体の外周部には相互に対向する板面を有する貼付板部（貼付板部２８１，２８２）を設け、
前記締結具は、前記板面に対して略直交する方向に延び、前記両貼付板部における両者の境界を跨ぐようにして形成された連通孔（ネジ孔２８３，２８４）に挿通された状態で締結を行い、
さらに各貼付板部の境界を跨ぐようにして前記シール部材を貼り付ける構成であって、
前記締結具として、前記各貼付板部の境界に対して一方の貼付板部側への方向を取り外し方向とする第１締結具（第１ネジ２８３）と、その反対方向を取り外し方向とする第２締結具（第２ネジ２８４）とを設け、
前記シール部材を、前記第１締結具及び前記第２締結具の両方の取り外し方向側の端部（頭部２８３ａ，２８４ａの頂上）を覆うようにして貼り付けるとともに、
前記アンテナ部を、前記両貼付板部における対応する締結具の取り外し方向側の面（第１貼付面２８１ａ、第２貼付面２８２ａ）に位置し、且つ前記第１締結具の前記端部又は前記第２締結具の前記端部の少なくとも一方と対峙するようにして配置したことを特徴とする遊技機。
【００７８】
手段２６の遊技機では、貼付板部が締結具によって締結されるのに伴って、各ケース体が締結される。そして、その締結された貼付板部の境界を跨ぐようにしてシール部材が貼り付けられている。この場合に、締結具が複数設けられているので、各貼付板部（各ケース体）が強固に固定される。また、制御基板を取り外すためには、第１締結具及び第２締結具の締結を解除する必要がある。
【００７９】
かかる構成において、第１締結具は各貼付板部の境界に対して一方の貼付板部側への方向が取り外し方向となるように取り付けられているのに対して、第２締結具はその反対方向が取り外し方向となるように取り付けられている。そして、これら第１締結具及び第２締結具の取り外し方向側の端部を覆うようにしてシール部材が貼り付けられており、さらに両貼付板部における対応する締結具の取り外し方向側の面に位置するようにしてアンテナ部が配置されている。よって、不正に締結具の締結を解除する作業を煩雑なものとすることができ、さらにはかかる不正な解除作業に際してベースシートの破壊、及びアンテナ部の分断が生じる機会を多く設けることができる。第１締結具の取り外し方向側の端部又は第２締結具の取り外し方向側の端部のいずれか一方を露出させることができたとしても、他方を露出させる必要があるからである。
【００８０】
また、例えば、第１締結具及び第２締結具のいずれもが、両貼付板部の境界に対して同一方向を取り外し方向とする構成においては、たとえ両貼付板部の境界を跨ぐようにしてシール部材を貼り付け、さらに両貼付板部における対応する締結具の取り外し方向側の面に位置するようにしてアンテナ部を配置していたとしても、当該シール部材における前記締結具の取り外し方向側の部分を剥がすだけで、すなわち、シール部材をすべて剥がすことなく、両締結具の取り外し方向側の端部を露出させることができてしまう。この場合、上記のようにシール部材を貼り付け、さらに上記のようにアンテナ部を配置した効果が好適に発揮されなくなってしまう。これに対して、本手段２６における構成によれば上記のとおりであるので、当該効果が好適に発揮される。
【００８１】
手段２７．手段２６において、前記アンテナ部を、前記第１締結具の前記端部及び前記第２締結具の前記端部の両方と対峙するようにして配置したことを特徴とする遊技機。
【００８２】
手段２７によれば、第１締結具及び第２締結具の両方の取り外し方向側の端部と対峙するようにしてアンテナ部が配置されているので、不正に締結具の締結が解除される場合においてアンテナ部の分断が生じる機会を多く設けることができる。よって、制御基板に対して不正が行われたことを確実に発見することができる。
【００８３】
手段２８．手段２７において、前記アンテナ部を、前記ベースシートの中心に対して点対称となるようにして配置したことを特徴とする遊技機。
【００８４】
手段２８によれば、１８０°回転させて貼付面にシール部材を貼り付けたとしても、第１締結具及び第２締結具の両方の取り外し方向側の端部に対してアンテナ部を対峙させることができる。よって、第１締結具及び第２締結具の両方の取り外し方向側の端部に対してアンテナ部を対峙させるようにした構成において、シール部材を貼り付ける場合の作業性を向上させることができる。
【００８５】
なお、ベースシートを長方形状（矩形状）に形成することで、シール部材の貼り付け作業を行う作業者にとっては、シール部材の短手方向又は長手方向を基準として当該シール部材をケース体に貼り付けるだけで第１締結具及び第２締結具の両方の取り外し方向側の端部に対してアンテナ部を対峙させることができ、シール部材を貼り付ける場合のさらなる作業性向上を図ることができる。
【００８６】
さらには、上記手段２２乃至２４のいずれかを備えた構成においては、ガイド手段によりシール部材の貼り付け位置がガイドされるため、シール部材の貼り付け作業を行う作業者にとっては、ガイド手段にガイドされた位置にシール部材を貼り付けるだけで第１締結具及び第２締結具の両方の取り外し方向側の端部に対してアンテナ部を対峙させることができ、シール部材を貼り付ける場合のさらなる作業性向上を図ることができる。
【００８７】
手段２９．手段１７乃至２８のいずれかにおいて、前記締結具を金属製とし、
前記アンテナ部を前記締結具に対して離間させて配置したことを特徴とする遊技機。
【００８８】
手段２９によれば、締結具が金属製であるので、制御基板を不正に取り外すべく締結具を分断しようとする行為が抑制される。この場合に、アンテナ部が締結具に対して離間されているので、不正が行われていない場合における読取装置への識別情報の送信を確実に行うことができる。金属製の締結具とアンテナ部とが接触しているとアンテナ部に対して設定された周波数が変化してしまうなどといった理由により、読取装置への識別情報の送信が阻害されてしまうからである。よって、かかる不都合を生じさせることなく、締結具と対峙するようにしてアンテナ部を配置したことによる上述した効果を得ることができる。
【００８９】
手段３０．手段２９において、前記シール部材が貼り付けられる各ケース体には相互に連通する連通孔（ネジ孔２８５，２８６）を設けるとともに、前記締結具は前記連通孔に挿通された状態で締結を行い、
前記締結具の挿通状態において当該締結具の取り外し方向側の端部（頭部２８３ａ，２８４ａの頂上）の位置が前記連通孔におけるその軸線方向の途中位置となるよう構成し、
さらに、前記シール部材を、前記連通孔における前記締結具の取り外し方向に位置する開口（取り外し側開口２８９，２９０）を覆うようにして貼り付けるとともに、
前記アンテナ部を、前記締結具の前記端部と対峙するようにして配置したことを特徴とする遊技機。
【００９０】
手段３０によれば、締結具の取り外し方向側の端部の位置が連通孔におけるその軸線方向の途中位置となっているのに対して、アンテナ部の位置が連通孔における締結具の取り外し方向側の開口付近となっている。よって、締結具と対峙するようにアンテナ部を配置した構成において、金属製の締結具とアンテナ部とを確実に離間させることができる。
【００９１】
なお、上記手段２０を備えた構成においては、アンテナ部が連通孔における前記開口を跨ぐこととなるので、アンテナ部が締結具の前記端部に向けて（連通孔内に向けて）撓みにくくなり、アンテナ部と締結具の前記端部とを対峙させた構成において両者を確実に離間させることができる。
【００９２】
手段３１．手段３０において、前記アンテナ部と前記締結具の前記端部との間には、両者を介在する介在部材を不具備としたことを特徴とする遊技機。
【００９３】
手段３１によれば、アンテナ部と締結具の取り外し方向側の端部との間に両者を介在する介在部材が不具備となっているので、アンテナ部と締結具の取り外し方向側の端部との間には所定の空間が形成されている。また、連通孔における締結具の取り外し方向に位置する開口を覆うようにしてシール部材が貼り付けられている。これにより、不正に締結具の締結を解除すべくシール部材を剥がして締結具の取り外し方向側の端部を露出させようとする場合において、アンテナ部の分断が生じる機会を多く設けることができる。つまり、シール部材は開口の周縁部を境界としてケース体に貼り付けられた部分と貼り付けられていない部分とが存在し、これはアンテナ部においても同様である。この場合に、締結具の取り外し方向側の端部を露出させようとしてシール部材を剥がすと、アンテナ部におけるケース体に貼り付けられた部分と貼り付けられていない部分との境界にシール部材を剥がす力に伴う応力が集中し易くなるからである。よって、制御基板に対して不正が行われたことを確実に発見することができる。
【００９４】
特に、上記手段２１及び当該手段３１を備えた構成においては、開口を挟んで当該開口の周縁部を架渡すようにしてアンテナ部が配置されており、さらにアンテナ部と締結具の取り外し方向側の端部との間に所定の空間が形成される。つまり、アンテナ部における架渡す部位が浮いた状態となる。よって、締結具の取り外し方向側の端部を露出させようとしてシール部材を剥がすと、アンテナ部におけるケース体に貼り付けられた部分と貼り付けられていない部分との境界にシール部材を剥がす力に伴う応力がより集中し易くなる。よって、アンテナ部の分断が生じる機会をより多く設けることができる。
【００９５】
手段３２．手段１７乃至３１のいずれかにおいて、前記アンテナ部を、前記ベースシートの一隅部側からその対角方向の隅部側に亘って延びるようにして配置したことを特徴とする遊技機。
【００９６】
手段３２によれば、アンテナ部がベースシートの一隅部側からその対角方向の隅部側に亘って延びるようにして配置されていることにより、アンテナ部の長手方向の寸法を長く確保することができる。よって、シール部材が剥がされた場合におけるアンテナ部の分断が生じる機会を多く設けることができるので、制御基板に対して不正が行われたことをより確実に発見することができる。
【００９７】
手段３３．手段３２において、前記アンテナ部を、前記ベースシートの対角線上に配置したことを特徴とする遊技機。
【００９８】
手段３３によれば、アンテナ部がベースシートの対角線上に設けられているので、アンテナ部の長さ寸法を極力大きく確保することができる。よって、シール部材が剥がされた場合におけるアンテナ部の分断が生じる機会をできる限り多く設けることができる。
【００９９】
手段３４．手段１７乃至３３のいずれかにおいて、前記記憶部はＩＣチップであり、当該ＩＣチップを基準としてその両側に向けて前記アンテナ部の長手方向が延びるように、前記ＩＣチップの配置位置を設定したことを特徴とする遊技機。
【０１００】
手段３４によれば、ＩＣチップを基準としてその両側に向けてアンテナ部の長手方向が延びるようにＩＣチップの配置位置が設定されているので、ＩＣチップがシール部材の外縁側（一辺側）には位置しないこととなる。よって、ＩＣチップの厚みに起因してシール部材が剥がし易くなることを抑制することができる。即ち、ＩＣチップは所定の厚みを有するためシール部材におけるＩＣチップの周囲とケース体との間には隙間が生じることとなる。この場合に、ＩＣチップがシール部材の外縁側にあるとその外縁とケース体との隙間に指を掛けることでシール部材が剥がし易くなってしまう。これに対して、本手段のように、ＩＣチップの位置がシール部材の外縁側でないことにより、所定の厚みを有するＩＣチップを備えた構成においてシール部材が剥がし易くなることを抑制することができる。
【０１０１】
なお、ＩＣチップをアンテナ部の長手方向の略中央に配置することで、上記効果はより顕著なものとなる。
【０１０２】
手段３５．手段１７乃至３４のいずれかにおいて、前記記憶部はＩＣチップであり、前記アンテナ部の厚み寸法が前記ＩＣチップの厚み寸法よりも小さいことを特徴とする遊技機。
【０１０３】
手段３５によれば、アンテナ部の厚み寸法がＩＣチップの厚み寸法よりも小さいので、シール部材が剥がされた際にアンテナ部が破壊され易くなる。よって、制御基板に対して不正が行われたことをより確実に発見することができる。
【０１０４】
この場合に、ＩＣチップがシール部材の外縁側にあると、シール部材が剥がし易くなってしまう。これに対して、上記手段３４の構成を備えることで、シール部材が剥がし易くなることを抑制することができる。
【０１０５】
手段３６．手段１７乃至３５のいずれかにおいて、前記シール部材を、曲げ中心の延びる方向が該シール部材の一辺の延びる方向に対して略平行となるように、所定の角度又は所定の曲率で曲げて前記ケース体に貼り付けたことを特徴とする遊技機。
【０１０６】
手段３６によれば、曲げ中心の延びる方向がシール部材の一辺の延びる方向に対して略平行となるように、シール部材が所定の角度又は所定の曲率で曲げてケース体に貼り付けられているので、シール部材がその隅角から剥がされた場合のベースシートの破壊がより顕著に発生することとなる。なぜなら、上記のようにシール部材が貼り付けられている構成においてシール部材をその隅角から剥がそうとすると、曲げ中心の端部に剥がす力に伴う応力が集中するからである。この場合、制御基板に対して不正を行おうとする者は、自ずとシール部材の一辺に沿う方向に当該シール部材を剥がそうとする。これに対して、上記手段１７の構成を備えていることにより、一辺に沿う方向にシール部材を剥がそうとするとアンテナ部が分断され、制御基板に対して不正が行われたことを容易に発見することができる。
【０１０７】
手段３７．手段１７乃至３６のいずれかにおいて、前記ベースシートにおける前記アンテナ部の周囲に、アンテナ用切り込み（アンテナ用切り込み３０７）を複数形成したことを特徴とする遊技機。
【０１０８】
手段３７によれば、シール部材が剥がされた場合、その剥がす力に伴う応力がアンテナ部の周囲に形成されたアンテナ用切り込みの端部に集中し、アンテナ用切り込みの端部からベースシートが破壊されるのに伴ってアンテナ部も破壊され、その位置にてアンテナ部が分断されることとなる。よって、アンテナ部が分断され易くなり、制御基板に対して不正が行われた場合の発見をより確実に行うことができる。
【０１０９】
手段３８．手段３７において、前記アンテナ用切り込みは、前記アンテナ部の長手方向及び前記ベースシートのすべての辺方向に対して交差する方向に延びる線状の切り込みであることを特徴とする遊技機。
【０１１０】
手段３８によれば、アンテナ用切り込みは、アンテナ部の長手方向及びベースシートのすべての辺方向に対して交差する方向に延びる線状の切り込みであるので、シール部材が一辺に沿う方向に剥がされた場合の剥がす力に伴う応力がアンテナ用切り込みのアンテナ部側端部に集中し易くなる。これにより、アンテナ用切り込みを介したアンテナ部の分断をより発生し易くすることができる。
【０１１１】
なお、アンテナ部が分断されない程度でアンテナ部に達する位置までアンテナ用切り込みを形成する構成とすることにより、シール部材が剥がされた場合のアンテナ部の分断がより発生し易くなる。
【０１１２】
また、アンテナ部を挟んでアンテナ用切り込みが直線状に並ばないようにすることで、例えば、遊技機の製造時におけるシール部材の貼り付け作業時などといった不正と関係のない場合に、アンテナ部を挟んで位置するアンテナ用切り込みが繋がりそれに伴ってアンテナ部が分断されてしまうことを抑制することができる。
【０１１３】
手段３９．手段１７乃至３８のいずれかにおいて、前記ベースシートの少なくとも隅角に、外周から内側に向けて延びる複数の外縁切り込み（外縁切り込み３０９）を形成したことを特徴とする遊技機。
【０１１４】
手段３９によれば、シール部材をその隅角から剥がすと、剥がす力に伴う応力が外縁切り込みの内側端部に集中しベースシートの破壊がより発生し易くなる。この場合、制御基板に対して不正を行おうとする者は、自ずとシール部材の一辺に沿う方向に当該シール部材を剥がそうとする。これに対して、上記手段１７の構成を備えていることにより、一辺に沿う方向にシール部材を剥がそうとするとアンテナ部が分断され、制御基板に対して不正が行われたことを容易に発見することができる。
【０１１５】
なお、外縁切り込みをベースシートの外周方向に多数並べて形成することにより、シール部材がその一辺に沿う方向に剥がされた場合に、ベースシートの破壊が発生し易くなる。これにより、シール部材が不正に剥がされたことの痕跡がベースシートに残ることとなり、不正の発見をより容易に行うことができる。
【０１１６】
手段４０．手段３９において、前記外縁切り込みの少なくとも内側端部を、線状又は鋭角状としたことを特徴とする遊技機。
【０１１７】
手段４０によれば、外縁切り込みの少なくとも内側端部が線状又は鋭角状となっているので、シール部材をその隅角から剥がした場合に、その剥がす力に伴う応力が外縁切り込みの内側端部により局所的に集中することとなる。よって、シール部材をその隅角から剥がした場合の外縁切り込みを介したベースシートの破壊をより発生し易くすることができる。
【０１１８】
手段４１．手段１７乃至４０のいずれかにおいて、前記ベースシートにおける隅角側に隅側切り込み（隅側切り込み３０８）を形成したことを特徴とする遊技機。
【０１１９】
手段４１によれば、ベースシートにおける隅角側に隅側切り込みが形成されているので、シール部材をその隅角から剥がした場合におけるベースシートの破壊がより発生し易くなる。この場合、制御基板に対して不正を行おうとする者は、自ずとシール部材の一辺に沿う方向に当該シール部材を剥がそうとする。これに対して、上記手段１７の構成を備えていることにより、一辺に沿う方向にシール部材を剥がそうとするとアンテナ部が分断され、制御基板に対して不正が行われたことを容易に発見することができる。
【０１２０】
なお、隅側切り込みをベースシートのコーナー部分に沿うようにして略Ｌ字状に形成する構成とすることにより、シール部材がその隅角から剥がされた場合に、ベースシートをより破壊され易くすることができ、さらには破壊の程度を大きくすることができる。
【０１２１】
手段４２．手段１７乃至４１のいずれかにおいて、前記複数のケース体は一対のケース体からなり、一方のケース体に対して他方のケース体をスライドさせることで分離可能となる構成とし、前記シール部材を前記一対のケース体におけるスライド方向の端部に貼り付けたことを特徴とする遊技機。
【０１２２】
手段４２では、一方のケース体に対して他方のケース体をスライドさせることで、一対のケース体を分離させることができる。この場合に、シール部材が一対のケース体におけるスライド方向の端部に貼り付けられているので、ケース体を分離させるには必ずシール部材を剥がす必要がある。そして、上記手段１７等の構成を備えていることにより、シール部材を剥がしたことが容易に且つ確実に発見される構成となっている。よって、制御基板に対して不正が行われたことを容易に且つ確実に発見することができる。
【０１２３】
手段４３．手段１乃至４２のいずれかにおいて、遊技球が流下する遊技領域（遊技盤３０の盤面）と、当該遊技領域に遊技球を打ち出すべく操作される操作手段（遊技球発射ハンドル１８）とを備え、
前記遊技領域に設けられた入球部（一般入賞口３１、可変入賞装置３２、作動口３３）に遊技球が入球することにより遊技者に特典が付与される構成とし、
前記入球部に遊技球が入球したか否かの入球判定を行う入球判定手段を備えた制御装置に対して前記電子タグを取り付けたことを特徴とする遊技機。
【０１２４】
手段４３によれば、いわゆるパチンコ機における入球判定手段を備えた制御装置に対して上記手段１乃至手段４２のいずれかの効果を享受することができる。即ち、制御装置に対して不正を行い、入球部に遊技球が入球していないにも関わらず特典を得ようとする不正行為を抑制することができる。
【０１２５】
手段４４．手段１乃至４２のいずれかにおいて、絵柄を可変表示する絵柄表示手段と、当該絵柄表示手段における絵柄の可変表示を開始させるべく操作される始動操作手段と、当該絵柄の可変表示を停止させるべく操作される停止操作手段とを備え、
前記絵柄の可変表示の停止後の停止絵柄として特定絵柄又は特定絵柄の組合せが成立していた場合には遊技者に特典が付与される構成とし、
前記特定絵柄又は前記特定絵柄の組合せを成立させることが可能か否かの抽選を行う抽選手段を備えた制御装置に対して前記電子タグを取り付けたことを特徴とする遊技機。
【０１２６】
手段４４によれば、いわゆるスロットマシンにおける抽選手段を備えた制御装置に対して上記手段１乃至４２のいずれかの効果を享受することができる。即ち、制御装置に対して不正を行い、特定絵柄又は特定絵柄の組合せを成立させることが可能となる役に当選するようにして特典を得ようとする不正行為を抑制することができる。
【０１２７】
手段４５．手段１乃至４４のいずれかに記載の遊技機を備えるとともに、
当該遊技機の外部に不正監視装置（ホールコンピュータＨＣ）を備えた遊技機の不正監視システムであって、
前記不正監視装置は、
前記リーダ手段が読み取った読み取り結果を入力するとともに、その入力した読み取り結果に基づいて不正行為の有無を判定する不正判定処理を実行し、さらに、その不正判定処理の判定結果に基づいて異常処理を実行することを特徴とする遊技機の不正監視システム。
【０１２８】
手段４５によれば、リーダ手段による識別情報の読み取り結果は不正監視装置に入力され、その入力結果に基づいて不正行為の有無が判定されるとともに、不正行為が有ったと判定された場合には異常処理が実行される。本構成とすることにより、遊技機外部にて不正有無の判定及び異常処理を実行することができる。例えば、遊技機内部にて不正有無の判定及び異常処理が実行される構成においては、それら処理を行う装置に対して不正が行われると、電子タグやリーダ手段を設けた効果が消失してしまう。これに対して、遊技機外部の不正監視装置において不正有無の判定及び異常処理を実行することで、電子タグやリーダ手段を設けた効果が好適に発揮される。
【０１２９】
以下、パチンコ遊技機（以下、「パチンコ機」という）に関する実施の形態を、図面に基づいて詳細に説明する。図１はパチンコ機１０の正面図、図２はパチンコ機１０の主要な構成を展開又は分解して示す斜視図、図３はパチンコ機１０を構成する本体枠１２の前面構成を示す正面図である。なお、図２、図３では便宜上、パチンコ機１０の遊技領域内の構成を空白としている。
【０１３０】
図１〜図３に示すように、パチンコ機１０は、当該パチンコ機１０の外殻を形成する外枠１１を備えている。外枠１１は、遊技ホールへの設置の際に、いわゆる島設備に取り付けられる。外枠１１は、木製の板材を全体として矩形枠状に組み合わせた状態とされ、各板材を小ネジ等の離脱可能な締結部材により固定することによって構成されている。
【０１３１】
外枠１１の一側部には、本体枠１２が開閉可能に支持されている。その開閉軸線はパチンコ機１０の正面からみて左側に上下へ延びるように設定されており、その開閉軸線を軸心にして本体枠１２が前方側に開放できるようになっている。
【０１３２】
本体枠１２の前面側の下部位置には、前面板１４が設けられている。前面板１４は横長状に形成され、その横幅は本体枠１２の横幅とほぼ一致するように構成されている。前面板１４は、幅方向ほぼ中央部において手前側へ膨出した膨出部１５ａを有するベース部１５と、ベース部１５の膨出部１５ａ内側に設けられ下方にくぼんだ皿形状をなす球受皿としての下皿１６と、下皿１６の奥側の壁面を構成し、下皿１６への球排出口１７ａが形成された奥壁パネル１７とを備えている。ベース部１５は本体枠１２に対してネジ等の締結部材により固定されていることから、ベース部１５が本体枠１２に対する取付部を構成している。ベース部１５には膨出部１５ａよりも右方に、手前側へ突出するようにして遊技球発射ハンドル１８が設けられている。
【０１３３】
遊技球発射ハンドル１８は、操作ハンドル１８ａと支持台座１８ｂとより構成されている。操作ハンドル１８ａは、ＡＢＳ樹脂にて成形されており、その表面にメッキ処理が施されている。支持台座１８ｂには、周知の構成のため図示による説明は省略するが、遊技者が操作ハンドル１８ａに触れていることを検知するためのタッチセンサ、操作ハンドル１８ａが操作されたことを検知するための発射スイッチ及び操作ハンドル１８ａの操作量を検知するためのダイヤル可変抵抗器が設けられている。さらに、操作ハンドル１８ａを操作した状態で、遊技球の発射を止めるべく操作される止め打ちスイッチが設けられている。これらタッチセンサ、発射スイッチ、ダイヤル可変抵抗器及び止め打ちスイッチの信号線は、後述する電源及び発射制御装置３１３に接続されている。
【０１３４】
奥壁パネル１７の球排出口１７ａとは異なる位置には、多数の小孔が集合したスピーカカバー部１７ｂが形成されており、当該パネル１７の後方に設置されたスピーカ２０の出力音がスピーカカバー部１７ｂを通じて前方に発せられるようになっている。
【０１３５】
本体枠１２の前面側の前面板１４を除く範囲には、本体枠１２を覆うようにして前面扉としての前扉枠１３が設けられている。したがって、前面板１４と前扉枠１３とにより本体枠１２の前面側全体が覆われている。前扉枠１３は、本体枠１２に対して開閉可能に取り付けられており、本体枠１２と同様、パチンコ機１０の正面からみて左側に上下に延びる開閉軸線を軸心にして前方側に開放できるようになっている。
【０１３６】
前扉枠１３の下部位置には、下皿１６の上方において手前側へ膨出した膨出部２２が設けられ、その膨出部２２内側には上方に開口した上皿２３が設けられている。上皿２３は、後述する払出装置より払い出された遊技球を一旦貯留し、一列に整列させながら後述する遊技球発射機構１６０側へ導くための球受皿である。
【０１３７】
図３に示すように、本体枠１２は、外形が前記外枠１１とほぼ同一形状をなす樹脂ベース２５を主体に構成されており、樹脂ベース２５の中央部には略円形状の窓孔２６が形成されている。樹脂ベース２５の後側には遊技盤３０が着脱可能に装着されている。図４に示すように、遊技盤３０は略四角形状の合板よりなり、その周縁部が樹脂ベース２５の裏側に当接した状態で取着されている。すなわち、遊技盤３０はパチンコ機１０後方より取り付けられ、遊技盤３０の前面部の略中央部分だけが樹脂ベース２５の窓孔２６を通じて本体枠１２の前面側に露出した状態となっている。
【０１３８】
次に、遊技盤３０の構成を図４に基づいて説明する。遊技盤３０には、ルータ加工が施されることによって前後方向に貫通する大小複数の開口部が形成されている。各開口部には一般入賞口３１、可変入賞装置３２、作動口３３、スルーゲート３４及び可変表示ユニット３５等がそれぞれ設けられている。実際には、一般入賞口３１、可変入賞装置３２、作動口３３、スルーゲート３４及び可変表示ユニット３５は木ねじ等により遊技盤表面に取り付けられている。
【０１３９】
作動口３３には、所定の条件下で作動状態（開放状態）となる電動役物が付随的に設けられている。前記一般入賞口３１、可変入賞装置３２及び作動口３３に遊技球が入ると、それが後述する検出スイッチにより検出され、その検出結果に基づいて上皿２３（場合によっては下皿１６）に対し所定数の賞品球が払い出される。
【０１４０】
その他に、遊技盤３０の最下部にはアウト口３６が設けられており、各種入賞口等に入らなかった遊技球はアウト口３６を通って図示しない球排出路の方へと案内されるようになっている。また、遊技盤３０には、遊技球の落下方向を適宜分散、調整等するために多数の釘が植設されていると共に、風車３７等の各種部材（役物）が配設されている。
【０１４１】
可変表示ユニット３５には、作動口３３への入賞をトリガとして第１図柄（特別図柄）を可変表示する図柄表示装置４１が設けられている。可変表示ユニット３５には、図柄表示装置４１を囲むようにしてセンターフレーム４３が配設されている。このセンターフレーム４３は、その上部がパチンコ機１０前方に延出している。これにより、図柄表示装置４１の表示画面の前方を遊技球が落下していくのが防止されており、遊技球の落下により表示画面の視認性が低下するといった不都合が生じない構成となっている。
【０１４２】
センターフレーム４３の上部中央には、第１特定ランプ部４７及び第２特定ランプ部４８が横並びの状態で設けられている。また、これら両特定ランプ部４７，４８が配設された領域を挟むように、第１特定ランプ部４７及び図柄表示装置４１に対応した保留ランプ４４が設けられている。遊技球が作動口３３を通過した回数は最大４回まで保留され、保留ランプ４４の点灯によってその保留個数が表示されるようになっている。センターフレーム４３の下部には、第２特定ランプ部４８に対応した保留ランプ４６が設けられている。遊技球がスルーゲート３４を通過した回数は最大４回まで保留され、保留ランプ４６の点灯によってその保留個数が表示されるようになっている。
【０１４３】
図柄表示装置４１は８インチサイズの液晶ディスプレイを備えた液晶表示装置として構成されており、後述する表示制御装置により表示内容が制御される。図柄表示装置４１には、例えば左、中及び右に並べて第１図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【０１４４】
第１特定ランプ部４７には、その内側に赤、緑、青の３色発光タイプのＬＥＤランプが配設されている。そして、作動口３３への入賞をトリガとして、所定の順序で発光色の切り替えが行われ、最終的に赤色又は緑色が停止表示された場合には大当たりが発生し、青色が停止表示された場合には大当たりが発生しない。また、最終的に赤色で停止表示された場合と、最終的に緑色で停止表示された場合とで、大当たりの種類が異なり、前者の方が遊技者に有利な大当たりが発生する（いわゆる、確変大当たり）。
【０１４５】
一方、第２特定ランプ部４８には、その内側に赤、緑の２色発光タイプのＬＥＤランプが配設されている。この第２特定ランプ部４８は、スルーゲート３４の通過をトリガとして、所定の順序で発光色の切り替えが行われる。そして、赤色が停止表示された場合には、作動口３３に付随する電動役物が所定時間だけ開放状態となるよう構成されている。
【０１４６】
可変入賞装置３２は、通常は遊技球が入賞できない又は入賞し難い閉状態になっており、大当たりの際に遊技球が入賞しやすい所定の開放状態に切り換えられるようになっている。より詳しくは、大当たりが発生すると、可変入賞装置３２が所定の開放状態となり、遊技球が入賞し易い状態となる。可変入賞装置３２の開放態様としては、所定時間（例えば３０秒間）の経過又は所定個数（例えば１０個）の入賞を１ラウンドとして、可変入賞装置３２内の継続入賞口への入賞を条件として次ラウンドへの移行条件成立とし、複数ラウンド（例えば１５ラウンド）を上限として可変入賞装置３２が繰り返し開放されるものが一般的である。
【０１４７】
遊技盤３０には、後述する遊技球発射機構１６０から発射された遊技球を遊技盤３０上部へ案内するためのレール部材としてのレールユニット５０が取り付けられており、遊技球発射機構１６０から発射された遊技球はレールユニット５０を通じて所定の遊技領域に案内されるようになっている。
【０１４８】
遊技盤３０においてレールユニット５０よりも外方の左上部には、前後に貫通した中継端子孔５９が設けられており、この中継端子孔５９を通じて、遊技盤裏面に設置した中継端子板の接続コネクタ６０がパチンコ機１０前面側に露出されるようになっている。また、遊技盤３０の右下隅部及び左下隅部は、証紙等のシールやプレートを貼着するためのスペース（図のＳａ，Ｓｂ）となっている。証紙等のシールを遊技盤３０に直接貼り付ける構成とすることで、証紙等の不正な貼り直し等が行いにくいものとなっている。
【０１４９】
図３の説明に戻り、樹脂ベース２５の窓孔２６（遊技盤３０）の下方には、遊技球発射機構１６０が取り付けられている。遊技球発射機構１６０は、図５に示すように、ベース部材としての金属板１６１を備えており、金属板１６１には、電磁式のソレノイド１６２と、発射レール１６３とが取り付けられている。
【０１５０】
ソレノイド１６２は、本体部１６２ａと出力軸１６２ｂとを主要構成部品として備えており、本体部１６１ａへの電気的な信号の入力に基づき通電され、出力軸１６２ｂが伸縮方向に移動する。また、ソレノイド１６２は、通電時に出力軸１６２ｂが左斜め上方へ突出するように配置されている。発射レール１６３は、ソレノイド１６２により打ち出された遊技球を案内するものであり、その長手方向が出力軸１６２ｂの伸縮方向に延びるように配置されている。
【０１５１】
以上の構成において、遊技者により遊技球発射ハンドル１８が操作されるのに基づいてソレノイド１６２が通電されると出力軸１６２ｂが突出し、発射レール１６３上においてストッパ１６４により保持されている遊技球が打ち出される。そして、当該遊技球は発射レール１６３上を移動し、遊技領域に打ち出される。
【０１５２】
発射レール１６３と球案内通路との間には所定間隔の隙間があり、この隙間より下方にファール球通路７６が設けられている。したがって、仮に遊技球発射機構１６０から発射された遊技球がファール球としてレールユニット５０内を逆戻りする場合には、そのファール球がファール球通路７６を介して下皿１６に排出される。
【０１５３】
また、本体枠１２の前面において発射レール１６３の左側には、左右一対の排出口６６，６７が形成されると共に、その前方に、排出口６６，６７より排出された遊技球を上皿２３又は下皿１６の何れかに案内するための遊技球案内ユニット７０が取り付けられている。便宜上以下の説明では、排出口６６を第１排出口、排出口６７を第２排出口ともいう。これら排出口６６，６７は、本体枠１２の背面に設けられた遊技球分配部２４５（図１０参照）に通じており、基本的に第１排出口６６より遊技球の排出が行われ、この第１排出口６６も含め上皿２３に通じる通路が遊技球で一杯になると、第１排出口６６に代えて第２排出口６７より遊技球の排出が行われるようになっている。
【０１５４】
遊技球案内ユニット７０は、ポリカーボネート樹脂等の透明な樹脂材料により内部を視認可能に構成され、本体枠１２に対して前扉枠１３を閉鎖した状態で本体枠１２と前扉枠１３との間に収まるよう厚みが比較的薄くなるように形成されている。遊技球案内ユニット７０には、前述のファール球通路７６が一体的に形成されている。遊技球案内ユニット７０には、前記排出口６６，６７と下皿１６とを連通するための球排出通路７１が形成されている。遊技球案内ユニット７０には、本体枠１２の第１排出口６６の手前側に、上皿２３に連通する連通口７２が形成され、連通口７２を閉鎖するようにして開閉プレート７３が取り付けられている。開閉プレート７３は支軸７４により回動可能に支持され、付勢手段としてのバネ７５により連通口７２を閉鎖する位置に常時付勢されている。
【０１５５】
遊技球案内ユニット７０の上記構成によれば、前扉枠１３を開放した状態ではバネ７５の付勢力により開閉プレート７３が図示の如く起き上がり、連通口７２を閉鎖する。この状態では、第１排出口６６より排出される遊技球が球排出通路７１を通じて下皿１６に案内される。したがって、連通口７２の上流側に遊技球が貯留されている状態で前扉枠１３を開放した場合、その貯留球は連通口７２よりこぼれ落ちることなく、球排出通路７１を通じて下皿１６に流下する。これに対し、前扉枠１３を閉鎖した状態では、前扉枠１３の裏面に設けられた球通路樋１３８（図２参照）によりバネ７５の付勢力に抗して開閉プレート７３が押し開けられる。この状態では、第１排出口６６より排出される遊技球が連通口７２を介して上皿２３に案内される。したがって、連通口７２より上流側の遊技球は上皿２３に払い出される。なお、遊技球案内ユニット７０の球排出通路７１下流側には、下皿１６に排出された遊技球が一杯（満タン）になったことを検知する下皿満タンスイッチが取り付けられている。
【０１５６】
樹脂ベース２５には、窓孔２６の右下部に略四角形状の小窓７８が設けられている。したがって、遊技盤３０の右下隅部スペース（図４のＳａ）に貼られた証紙等は、この小窓７８を通じて視認できるようになっている。この小窓７８から遊技盤３０上に証紙等を直接貼り付けることも可能である。
【０１５７】
樹脂ベース２５には、窓孔２６の左上部にも小窓７９が設けられている。この小窓７９は、図４で説明した遊技盤３０の中継端子孔５９に対応する位置にそれとほぼ同一の形状で設けられ、中継端子孔５９及び小窓７９を通じて、遊技盤裏面に設置した中継端子板の接続コネクタ６０が本体枠１２の前面側に露出される。かかる構成において、前扉枠１３側に設けた各種ランプに対しては、本体枠１２（樹脂ベース２５）の小窓７９より露出した接続コネクタ６０を介して電気的な接続がなされている。樹脂ベース２５の上部には、前扉枠１３の開放の状態を検出するための前扉枠開放スイッチ２７が設けられている。前扉枠開放スイッチ２７は、樹脂ベース２５の前面に出没可能なピンを有しており、本体枠１２に対して前扉枠１３を閉じた状態ではピンが押し込まれて前扉枠１３の閉鎖が検知され、本体枠１２に対して前扉枠１３を開いた状態ではピンが突出位置に戻って前扉枠１３の開放が検知されるようになっている。樹脂ベース２５の左右２カ所には、本体枠１２に対して前扉枠１３を閉じた際に前扉枠１３背面の金具類（図６に示す補強板１３１〜１３４）に接触し、且つその金具類を本体枠１２側に導通させてアース（接地）するための金属片２８ａ，２８ｂが取り付けられている。したがって、金属片２８ａ，２８ｂを通じて、前扉枠１３背面の金具類が本体枠１２側の施錠装置やヒンジ金具に導通され、これら施錠装置やヒンジ金具と共にアースされる。
【０１５８】
本体枠１２の左端側（開閉軸線側）には、前扉枠１３を開閉可能に支持するための支持機構として、上下一対の支持金具８１，８２が取り付けられている。上側の支持金具８１には手前側に切欠を有する支持孔８３が設けられ、下側の支持金具８２には上方へ突出する突起軸８４が設けられている。なお、支持金具８１，８２に支持される前扉枠１３の具体的構成については後述する。また、本体枠１２の右端側（開閉軸線とは反対側）には、前扉枠１３裏面側の開放端側に設けた上下一対の鉤金具１５５，１５６（図２参照）を挿入するための挿入孔８７，８８がそれぞれ設けられている。本パチンコ機１０では、本体枠１２や前扉枠１３を施錠状態とするための施錠装置が本体枠１２の裏面側に隠れて配置される構成となっている。したがって、鉤金具１５５，１５６が挿入孔８７，８８を介して施錠装置に係止されることによって、前扉枠１３が本体枠１２に対して開放不能に施錠される。
【０１５９】
本体枠１２の右下隅部には、外枠１１に対する本体枠１２の施錠及び解錠、並びに本体枠１２に対する前扉枠１３の施錠及び解錠を行うための鍵部材としてのシリンダ錠９１が設置されている。シリンダ錠９１は施錠装置に一体化されており、施錠装置のうちシリンダ錠９１だけが本体枠１２の前方に突出した状態で設けられている。シリンダ錠９１は、本体枠１２の施解錠と前扉枠１３の施解錠とを共に賄う機能を有しており、鍵穴に差し込んだキーを左（反時計回り方向）に回すと本体枠１２の施錠が解かれ、逆にキーを右（時計回り方向）に回すと前扉枠１３の施錠が解かれるようになっている。
【０１６０】
次に、前扉枠１３について図１，図６を参照しつつ説明する。なお、図６は、前扉枠１３の背面図である。
【０１６１】
前扉枠１３には遊技領域のほぼ全域を前方から視認することができるようにした視認窓としての窓部１０１が形成されている。窓部１０１は、円形に近い略楕円形状をなし、ガラス１３７が嵌め込まれている。
【０１６２】
前扉枠１３の下端部における左右両側には、本体枠１２表面や遊技盤３０表面等（証紙等を含む）の一部を視認できるよう透明樹脂を取り付けた小窓１０７が設けられている。小窓１０７に取り付けられる透明樹脂は、その内部の証紙等を工場等で容易に機械読み取りできるよう平坦状に構成される。但し、小窓１０７に、内部の証紙等をホール作業者等が容易に目視できるよう拡大レンズ部を設けることも可能である。
【０１６３】
前扉枠１３にはその周囲（例えばコーナー部分）に各種ランプ等の発光手段が設けられている。これら発光手段は、大当たり時や所定のリーチ時等における遊技状態の変化に応じて点灯、点滅のように発光態様が変更制御されることにより、遊技中の演出効果を高める役割を果たす。例えば、窓部１０１の周縁に沿ってＬＥＤ等の発光手段を内蔵した環状ランプ１０２が左右対称に設けられ、環状ランプ１０２の中央であってパチンコ機１０の最上部にはＬＥＤ等の発光手段を内蔵した中央ランプ１０３が設けられている。本パチンコ機１０では、中央ランプ１０３が大当たりランプとして機能し、大当たり状態時に点灯や点滅を行うことにより大当たり中であることを報知する。また、上皿２３周りにも、同じくＬＥＤ等の発光手段を内蔵した上皿ランプ１０４が設けられている。その他、中央ランプ１０３の左右側方には、賞球払出中に点灯する賞球ランプ１０５と所定のエラー時に点灯するエラー表示ランプ１０６とがそれぞれ設けられている。
【０１６４】
前扉枠１３の裏側には、窓部１０１を囲むようにして金属製の各種補強部材が設けられている。詳しくは、図６に示すように、前扉枠１３の裏側にあって窓部１０１の左右及び上下の外側にはそれぞれ補強板１３１，１３２，１３３，１３４が取り付けられている。これら補強板１３１〜１３４は相互に接触して連結されているが、図の左側及び上側の補強板１３２，１３３の連結部には直接の接触を避けるための樹脂パーツ１３５が介在されている。これにより、補強板１３１〜１３４による電気経路の閉じたループが切断され、ノイズの原因となる磁界の発生等が防止されている。
【０１６５】
図６の右側となる開閉軸線側の補強板１３１にはその上端部及び下端部に、本体枠１２に対する組付機構として、組付金具１５１，１５２が取り付けられている。そして、本体枠１２側の支持金具８１，８２（図３参照）に対して前扉枠１３側の組付金具１５１，１５２が取り付けられている。すなわち、下側の組付金具１５２には下面に開口する軸穴が形成されており、その軸穴に下側の支持金具８２の突起軸８４が挿入される一方、上側の組付金具１５１の軸部が上側の支持金具８１の支持孔８３に挿入されることにより、本体枠１２に対して前扉枠１３が開閉可能に支持されている。また、同補強板１３１にはその中間位置にフック状をなす係合爪１３１ａが設けられており、この係合爪１３１ａは、前扉枠１３を閉じた状態で本体枠１２の孔部１２ａ（図３参照）に挿入されるように構成されている。これにより、上皿２３を含む形態で前扉枠１３を構成し、その上下の軸支間隔を長くした本パチンコ機１０においても、中間位置における前扉枠１３の浮き上がりが防止できる。それ故、前扉枠１３を浮かしての不正行為等が抑制されるようになっている。
【０１６６】
図６の左側となる開閉軸線とは反対側の補強板１３２には鉤形状をなす上下一対の鉤金具１５５，１５６が取り付けられている。これら鉤金具１５５，１５６は、後方に延び、本体枠１２に設けた挿入孔８７，８８（図３参照）に対応するようにして設けられている。本体枠１２に対して前扉枠１３を閉鎖した際、鉤金具１５５，１５６が本体枠１２側の挿入孔８７，８８に挿入されて施錠装置により施錠状態とされるようになっている。
【０１６７】
下側の補強板１３４の一部を切り欠いた部位には、パチンコ機１０後方に向けて球通路樋１３８が設置されており、球通路樋１３８の少なくとも上方には、同じくパチンコ機１０後方に向けて延びる庇（ひさし）部１３９が設けられている。この場合、本体枠１２側に前扉枠１３を閉じた状態では、球通路樋１３８と庇部１３９との間に、本体枠１２側の連通口７２上辺に沿って延びる突条が入り込むようにして配置される。故に、球通路樋１３８より針金やフィルム等を侵入させて不正行為を行おうとしても、遊技領域にまで針金やフィルム等を侵入させることが非常に困難となる。結果として、針金やフィルム等を利用して行われる不正行為を防止することができる。
【０１６８】
次に、パチンコ機１０の背面の構成を説明する。なお、図７はパチンコ機１０の背面図、図８はパチンコ機１０の背面構成を主要部品毎に分解して示す分解斜視図である。
【０１６９】
まず、パチンコ機１０の背面構成について全体の概要を説明する。パチンコ機１０の背面側には、各種制御装置（各種制御基板）が上下左右に並べられるようにして又は前後に重ねられるようにして配置されるとともに、遊技球を供給するための遊技球供給装置（払出機構）や樹脂製の保護カバー等が取り付けられている。本実施の形態では、各種制御装置を２つの取付台に分けて搭載して２つの制御基板ユニットを構成し、それら制御基板ユニットを個別に本体枠１２又は遊技盤３０の裏面に装着するようにしている。この場合、主制御装置２７１（主制御基板）と音声ランプ制御装置２７２（音声ランプ制御基板）とを一方の取付台に搭載してユニット化すると共に、払出制御装置３１１（払出制御基板）、電源及び発射制御装置３１３（電源及び発射制御基板）を他方の取付台に搭載してユニット化している。以下においては、便宜上、前者のユニットを「第１制御基板ユニット２０１」と称し、後者のユニットを「第２制御基板ユニット２０２」と称することとする。また、払出機構及び保護カバーも１ユニットとして一体化され、一般に樹脂部分を裏パックと称することもあるため、ここではそのユニットを「裏パックユニット２０３」と称する。各ユニット２０１〜２０３の詳細な構成については後述する。
【０１７０】
第１制御基板ユニット２０１、第２制御基板ユニット２０２及び裏パックユニット２０３は、ユニット単位で何ら工具等を用いずに着脱できるよう構成されるとともに、一部に支軸部を設けて本体枠１２又は遊技盤３０の裏面に対して展開できる構成となっている。これは、各ユニット２０１〜２０３やその他構成が前後に重ねて配置された場合に隠れた部位を容易に確認することを可能とするための工夫でもある。実際には、図９の概略図に示すように、略Ｌ字状をなす第１制御基板ユニット２０１はパチンコ機１０のほぼ中央に配置され、その下方に第２制御基板ユニット２０２が配置されている。また、第１制御基板ユニット２０１に一部重複する領域に、裏パックユニット２０３が配置されている。
【０１７１】
第１制御基板ユニット２０１にはパチンコ機１０の背面から見て左端部に支軸部Ｍ１が設けられ、その支軸部Ｍ１による軸線Ａを中心に第１制御基板ユニット２０１が回動可能となっている。また、第１制御基板ユニット２０１には、その右端部すなわち支軸部Ｍ１の反対側となる開放端側に、ナイラッチ（登録商標）等よりなる締結部Ｍ２が設けられると共に上端部に係止爪部Ｍ３が設けられており、これら締結部Ｍ２及び係止爪部Ｍ３によって第１制御基板ユニット２０１がパチンコ機１０本体の裏面（背面）に沿った状態に保持されるようになっている。また、第２制御基板ユニット２０２にはパチンコ機１０の背面から見て右端部に支軸部Ｍ４が設けられ、その支軸部Ｍ４による軸線Ｂを中心に第２制御基板ユニット２０２が回動可能となっている。また、第２制御基板ユニット２０２には、その左端部すなわち支軸部Ｍ４の反対側となる開放端側に、ナイラッチ等よりなる締結部Ｍ５が設けられており、この締結部Ｍ５によって第２制御基板ユニット２０２がパチンコ機１０本体の裏面に沿った状態に保持されるようになっている。さらに、裏パックユニット２０３にはパチンコ機１０の背面から見て右端部に支軸部Ｍ６が設けられ、その支軸部Ｍ６による軸線Ｃを中心に裏パックユニット２０３が回動可能となっている。また、裏パックユニット２０３には、その左端部すなわち支軸部Ｍ６の反対側となる開放端側にナイラッチ等よりなる締結部Ｍ７が設けられるとともに、上端部及び下端部にそれぞれ回動式の係止部Ｍ８，Ｍ９が設けられており、これら締結部Ｍ７及び係止部Ｍ８，Ｍ９によって裏パックユニット２０３がパチンコ機１０本体の裏面に沿った状態に保持されるようになっている。
【０１７２】
各ユニット２０１〜２０３を回動可能に支持する支軸部Ｍ１，Ｍ４，Ｍ６は、各ユニット２０１〜２０３をパチンコ機１０の裏面から開いた状態で容易に取り外し可能なヒンジ構造となっている。簡単に説明すると、第１制御基板ユニット２０１については、締結部Ｍ２の締結及び係止爪部Ｍ３の係止を解除すると共に、当該ユニット２０１を軸線Ａを中心に回動させて展開し、その状態で持ち上げる。これにより、裏パックユニット２０３がない前提であれば、第１制御基板ユニット２０１を取り外すことができる。また、第２制御基板ユニット２０２については、締結部Ｍ５の締結を解除すると共に、当該ユニット２０２を軸線Ｂを中心に回動させて展開し、その状態で持ち上げる。これにより、第２制御基板ユニット２０２を取り外すことができる。さらに、裏パックユニット２０３については、締結部Ｍ７の締結及び係止部Ｍ８，Ｍ９の係止を解除すると共に、当該ユニット２０３を軸線Ｃを中心に回動させて展開し、その状態で持ち上げる。これにより、裏パックユニット２０３を取り外すことができる。
【０１７３】
ここで、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。この場合、第１制御基板ユニット２０１は、裏パックユニット２０３に一部重複して設けられるため、裏パックユニット２０３を開かないことには第１制御基板ユニット２０１を取り外すことが不可能であり、さらに言うと、第１制御基板ユニット２０１及び裏パックユニット２０３が各々逆方向に展開する構成であるため、裏パックユニット２０３を所定角度以上に大きく開いた状態又は同ユニット２０３を取り外した状態でなければ第１制御基板ユニット２０１を取り外すことが不可能である。したがって、第１制御基板ユニット２０１を取り外すことに着目すると、他のユニット２０２，２０３に比べて取り外しが困難な構成となっている。さらに、施錠装置をキー操作して外枠１１に対して本体枠１２を開放しなければ、裏パックユニット２０３を開くことができない構成となっているため、より一層第１制御基板ユニット２０１の取り外しが困難なものとなっている。
【０１７４】
次に、本体枠１２及び遊技盤３０の裏面構成を説明する。なお、図１０は本体枠１２に遊技盤３０を組み付けた状態でかつ前記各ユニット２０１〜２０３等を取り外した状態の構成を示す背面図、図１１は本体枠１２を後方より見た斜視図、図１２は遊技盤３０を後方より見た斜視図である。
【０１７５】
遊技盤３０は、樹脂ベース２５に囲まれた四角枠状の設置領域に裏面側より設置され、本体枠１２に設けられた複数（本実施の形態では４カ所）の係止固定具２１１，２１２によって後方へ脱落しないように固定されている。係止固定具２１１，２１２は手動で回動操作することができ、固定位置（ロック位置）と固定解除位置（アンロック位置）とに切り換えることができるよう構成されている。図１０にはロック状態を示す。左右３カ所の係止固定具２１１は金属片を折り曲げ形成したＬ型の金具であり、遊技盤３０の固定状態で本体枠１２の外方へ張り出さないよう構成されている。なお、下部１カ所の係止固定具２１２は合成樹脂製のＩ型の留め具である。
【０１７６】
遊技盤３０の中央に配置される可変表示ユニット３５には、センターフレーム４３（図４参照）を背後から覆う合成樹脂製のフレームカバー２１３が後方に突出して設けられており、そのフレームカバー２１３の後端に、図柄表示装置４１と表示制御手段としての表示制御装置２１４とが前後に重ねられた状態で着脱可能に取り付けられている。フレームカバー２１３内には、センターフレーム４３に内蔵されたＬＥＤ等を駆動するためのＬＥＤ制御基板などが配設されている。
【０１７７】
遊技盤３０の裏面には、可変表示ユニット３５を取り囲むようにして集合板ユニット２１５が設けられている。集合板ユニット２１５は、薄板状の枠体として例えばＡＢＳ樹脂等の合成樹脂により成形されるベースを有し、そのベース面が遊技盤３０の裏面に当接されるようにして取り付けられている。集合板ユニット２１５には、各種入賞口に入賞した遊技球を回収するための遊技球回収機構や、各種入賞口等への遊技球の入賞を検知するための入賞検知機構などが設けられている。
【０１７８】
遊技球回収機構について説明すると、集合板ユニット２１５の下方には、前記一般入賞口３１、可変入賞装置３２、作動口３３の遊技盤開口部に対応し且つ下流側で１カ所に集合する回収通路２１６が形成されている。また、遊技盤３０の下方には、本体枠１２にポリカーボネート樹脂等の合成樹脂製の排出通路盤２１７が取り付けられており、排出通路盤２１７には排出球をパチンコ機１０外部の例えば遊技ホールの島設備等へ案内するための排出通路２１８が形成されている。したがって、図１０に仮想線で例示するように、一般入賞口３１等に入賞した遊技球は何れも集合板ユニット２１５の回収通路２１６を介して集合し、さらに排出通路盤２１７の排出通路２１８を介してパチンコ機１０外部に排出される。なお、アウト口３６も同様に排出通路２１８に通じており、何れの入賞口にも入賞しなかった遊技球も排出通路２１８を介してパチンコ機１０外部に排出される。
【０１７９】
入賞検知機構について説明すると、集合板ユニット２１５には、遊技盤３０表側の一般入賞口３１と対応する位置に入賞口スイッチ２２１が設けられ、可変入賞装置３２と対応する位置にカウントスイッチ２２３が設けられている。カウントスイッチ２２３は、可変入賞装置３２に入賞した遊技球の数をカウントするスイッチである。また、作動口３３に対応する位置には作動口３３への遊技球の入賞を検知する作動口スイッチ２２４が設けられ、スルーゲート３４に対応する位置にはスルーゲート３４の遊技球の通過を検知するゲートスイッチ２２５が設けられている。入賞口スイッチ２２１及びゲートスイッチ２２５は電気配線を通じて盤面中継基板２２６に接続され、カウントスイッチ２２３は大入賞口中継基板２２７に接続されている。そして、盤面中継基板２２６及び大入賞口中継基板２２７が主制御装置２７１（主制御基板）に接続されている。作動口スイッチ２２４は中継基板を介さずに直接主制御装置２７１（主制御基板）に接続されている。その他図示は省略するが、可変入賞装置３２には、大入賞口の開閉扉を開放するための大入賞口ソレノイドと、入賞球を特定領域かその他の領域に振り分けるための振分板を駆動する入賞球振分板ソレノイドとが設けられ、作動口３３には、それに付随する電動役物を開放するための作動口ソレノイドが設けられている。
【０１８０】
上記入賞検知機構にて各々検出された検出結果は主制御装置２７１（主制御基板）に取り込まれ、当該主制御装置２７１にて入賞判定が実行される。そして、その入賞判定後の判定結果に応じた払出指令（遊技球の払出個数）が払出制御装置３１１（払出制御基板）に出力される。そして、払出制御装置３１１（払出制御基板）の出力により所定数の遊技球の払出が実行されるようになっている。
【０１８１】
集合板ユニット２１５には、その中央上部に中継端子板２７６が設けられており、さらにその右上部に盤用外部端子板２３０が設けられている。中継端子板２７６は、主制御装置２７１（主制御基板）や電源及び発射制御装置３１３（電源及び発射制御基板）から音声ランプ制御装置２７２（音声ランプ制御基板）への信号線を中継するものである。盤用外部端子板２３０には、第１図柄の変動が停止（確定）する毎に信号出力するための出力端子と、大当たり中又は第１図柄の変動時間短縮中に信号出力するための出力端子と、大当たり中に信号出力するための出力端子とが設けられている。そして、これらの出力端子を通じて、遊技ホール側の管理制御装置に対して遊技（遊技盤３０側の状態）に関する信号が出力される。盤用外部端子板２３０は、取り外し容易な状態で集合板ユニット２１５に取り付けられている。
【０１８２】
集合板ユニット２１５には、第１制御基板ユニット２０１を取り付けるための取付機構が設けられている。具体的には、この取付機構として、遊技盤３０の裏面から見て左下隅部には上下方向に延びる軸受け金具２３１が設けられ、この軸受け金具２３１には同一軸線上に上下一対の軸受け孔２３１ａが形成されている。また、遊技盤３０において、軸受け金具２３１の右方には上下一対の被締結孔（具体的にはナイラッチの取付孔）２３２が設けられ、軸受け金具２３１の上方には係止爪片２３３が設けられている。
【０１８３】
本体枠１２の裏面には、第２制御基板ユニット２０２や裏パックユニット２０３を取り付けるための取付機構が設けられている。具体的には、本体枠１２にはその右端部に長尺状の軸受け金具２３５が取り付けられている。この軸受け金具２３５は補強部材としても機能する。図１３に示すように、軸受け金具２３５は遊技盤３０よりも下方へ延びる長尺板状の金具本体２３６を有し、その金具本体２３６より後方へ起立させるようにして、下部２カ所に第２制御基板ユニット２０２用の軸受け部２３７が形成されると共に、上部２カ所に裏パックユニット２０３用の軸受け部２３８が形成されている。これら軸受け部２３７，２３８にはそれぞれ同軸の軸受け孔が形成されている。その他、第２制御基板ユニット２０２用の取付機構として、本体枠１２には、遊技盤３０設置領域よりも下方左端部に上下一対の被締結孔（具体的には、ナイラッチの取付孔）２３９が設けられている。また、裏パックユニット２０３用の取付機構として、本体枠１２には、遊技盤３０設置領域の左端部に上下一対の被締結孔（具体的には、ナイラッチの取付孔）２４０が設けられている。本体枠１２において遊技盤３０の左上方、右寄り上方及び右寄り下方の各位置には、遊技盤３０との間に裏パックユニット２０３を挟み込んで支持するための回動式の固定具２４１，２４２，２４３がそれぞれ設けられている。
【０１８４】
上記の如く本体枠１２の左右一側部（図１０では右側部）には長尺状の軸受け金具２３５が設けられる一方、本体枠１２の左右他側部（図１０では左側部）には施錠装置が設けられている。施錠装置は、上下方向に延び本体枠１２に固定された基枠２４７と、その基枠２４７に対して上下方向に移動可能に組み付けられた長尺状の連動杆２４８とを備え、基枠２４７の下部に前記シリンダ錠９１が一体化されている。連動杆２４８は、シリンダ錠９１の操作により上下いずれかの方向に移動する。連動杆２４８には、鉤形状をなす上下一対の鉤金具２４９が設けられており、外枠１１に対して本体枠１２を閉鎖した際には、鉤金具２４９が外枠１１側の支持金具（図示略）に係止され、施錠装置により施錠状態とされるようになっている。この場合、シリンダ錠９１の操作によって連動杆２４８が上方向に移動すると、外枠１１に対する本体枠１２の施錠が解除される。逆に、シリンダ錠９１の操作によって連動杆２４８が下方向に移動すると、本体枠１２に対する前扉枠１３の施錠が解除される。
【０１８５】
本体枠１２の背面における遊技盤３０の右下部には、後述する払出機構より払い出される遊技球を上皿２３、下皿１６又は排出通路２１８の何れかに振り分けるための遊技球分配部２４５が設けられている。遊技球分配部２４５は、左側の開口部２４５ａが第１排出口６６を介して上皿２３に通じ、中央の開口部２４５ｂが第２排出口６７を介して下皿１６に通じ、右側の開口部２４５ｃが排出通路２１８に通じるように、各通路が形成されている。
【０１８６】
次に、第１制御基板ユニット２０１の構成を図１４〜図１７に基づいて説明する。図１４は第１制御基板ユニット２０１の正面図、図１５は同ユニット２０１の斜視図、図１６は同ユニット２０１の分解斜視図、図１７は同ユニット２０１を裏面から見た分解斜視図である。
【０１８７】
第１制御基板ユニット２０１は略Ｌ字状をなす取付台２５１を有し、取付台２５１に主制御装置２７１と音声ランプ制御装置２７２とが搭載されている。主制御装置２７１は、遊技の主たる制御を司る機能（主制御回路）と、電源を監視する機能（電源監視回路）とを有する主制御基板を具備しており、当該主制御基板が透明樹脂材料等よりなる被包手段としての基板ボックス２７３に収容されて構成されている。主制御装置２７１には複数のコネクタが設けられており、各コネクタにハーネスや信号線が差し込まれることで、他の基板等（払出制御基板、盤面中継基板２２６等）との電気的な接続がなされるようになっている。なお、主制御装置２７１の詳細な構成については後に説明する。
【０１８８】
音声ランプ制御装置２７２は、主制御装置２７１からの指示に従い音声やランプ表示、及び表示制御装置２１４の制御を司る音声ランプ制御基板を具備しており、音声ランプ制御基板が透明樹脂材料等よりなる基板ボックス２７４に収容されて構成されている。
【０１８９】
取付台２５１は、ポリカーボネート樹脂等の合成樹脂製であり、例えば緑や青等に着色されて不透明とされている。但し、取付台２５１は無色透明又は半透明であってもよい。取付台２５１の表面には平坦状をなす２つの基板搭載面２５２，２５３が設けられている。これら基板搭載面２５２，２５３は縦横に直交する向きに延び、前後方向に段差をもって形成されている。基板搭載面２５２の上縁部及び下縁部にはそれぞれ、基板搭載面２５２より起立した起立部２５４が一体成形されている。そして、横長の基板搭載面２５２上に主制御装置２７１が配置されると共に、縦長の基板搭載面２５３上に音声ランプ制御装置２７２が配置される。このとき、主制御装置２７１は、上下の側部が起立部２５４にて支えられる。また、音声ランプ制御装置２７２は、複数箇所でネジ等により基板搭載面２５３に固定される。
【０１９０】
ここで、図１６に示すように、基板搭載面２５２には、左右２カ所に横長形状の貫通孔２５６が形成されている。一方、主制御装置２７１の基板ボックス２７３には、その裏面の左右２カ所に回動操作式の固定具２７５が設けられている。主制御装置２７１を基板搭載面２５２に搭載する際には、基板搭載面２５２の貫通孔２５６に固定具２７５が挿通されるように主制御装置２７１を載置し、その状態で固定具２７５を回動操作することで主制御装置２７１がロックされる。したがって、主制御装置２７１は第１制御基板ユニット２０１の裏面側から固定具２７５をロック解除しなければ取り外しできないため、基板取り外し等の不正行為に対して抑止効果が得られる。
【０１９１】
また、取付台２５１において、主制御基板用の基板搭載面２５２の下方には、基板搭載面２５２の裏面空間に通じる開口を遮蔽するための遮蔽部２５７が設けられている。したがって、基板搭載面２５２の下方より取付台２５１の裏面に手などを差し入れることが阻止され、固定具２７５のロック状態を不正に解除することができないようになっている。また、第１制御基板ユニット２０１をパチンコ機１０背面に搭載した状態では、当該ユニット２０１の上部が裏パックユニット２０３により覆われるため、やはり取付台２５１の裏面に手などを差し入れることが阻止され、固定具２７５のロック状態を不正に解除することができないようになっている。
【０１９２】
取付台２５１の左端面には上下一対の掛止ピン２６１が設けられており、この掛止ピン２６１を前記軸受け金具２３１に取り付けることで、第１制御基板ユニット２０１が遊技盤３０に対して回動可能に片持ち支持される。取付台２５１の右端部には前記被締結孔２３２にはめ込まれる締結具として上下一対のナイラッチ２６２が設けられている。取付台２５１の上端部には前記係止爪片２３３が係止される長孔２６３が設けられている。したがって、ナイラッチ２６２を被締結孔２３２にはめ込むと共に、長孔２６３に係止爪片２３３を係止させることで、第１制御基板ユニット２０１が遊技盤３０に固定される。なお、軸受け金具２３１及び掛止ピン２６１が前記支軸部Ｍ１に、被締結孔２３２及びナイラッチ２６２が前記締結部Ｍ２に、係止爪片２３３及び長孔２６３が前記係止爪部Ｍ３に、それぞれ相当する。
【０１９３】
次に、主制御装置２７１の構成を図１８〜図２１に基づいて説明する。図１８は主制御装置２７１の斜視図、図１９は主制御装置２７１の分解斜視図、図２０は主制御装置２７１の基板ボックス２７３を説明するための説明図、図２１は主制御措置２７１の一部を拡大して示す斜視図である。
【０１９４】
主制御装置２７１は、上記のとおり基板ボックス２７３を備えている。基板ボックス２７３は、略直方体形状のボックスベース２７６と該ボックスベース２７６の開口部を覆うボックスカバー２７７とから構成されており、それらボックスベース２７６とボックスカバー２７７とから構成される内部空間に主制御基板２７８が収容されている。なお、かかる内部空間にはリーダ装置５６１が収容されているが、このリーダ装置５６１については後に詳細に説明する。
【０１９５】
主制御基板２７８は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生機、時間計数や同期を図る場合などに使用されるクロックパルス発生回路等を備えている。本実施の形態では、ＣＰＵ、ＲＯＭ及びＲＡＭがマイコンチップ２７８ａに１チップ化されている。また、詳細な説明は省略するが、入出力ドライバ用ＩＣチップ２７８ｂ等が搭載されている。
【０１９６】
ボックスベース２７６及びボックスカバー２７７は、ポリカーボネート樹脂などといった透明性を有する合成樹脂により形成されている。ボックスベース２７６には、底板部２７６ａの長辺側に側板部２７６ｂが形成されており、短辺側の一側には側板部２７６ｂに連なるようにして段差部２７６ｃが形成されている。側板部２７６ｂの先端は内側に折り曲げて形成されている。側板部２７６ｂの右端部は、ボックスカバー２７７をスライド装着するための装着口２７６ｄとなっている。この場合、図２０に示すように、ボックスカバー２７７を装着口２７６ｄから装着し、段差部２７６ｃに当たるまでスライド移動させることで、ボックスカバー２７７がボックスベース２７６上の所定位置に装着されるようになっている。
【０１９７】
ボックスカバー２７７には、ボックスベース２７６の段差部２７６ｃと重なるようにして延出部２７７ａが形成されている。延出部２７７ａはボックスベース２７６の段差部２７６ｃと共に封印手段としての封印ユニット２７９（いわゆる、カシメ構造）を構成しており、当該封印ユニット２７９によってボックスベース２７６とボックスカバー２７７とが連結され、基板ボックス２７３が封印されている。
【０１９８】
封印ユニット２７９は、ボックスベース２７６とボックスカバー２７７とを連結する構成であれば任意の構成が適用できるが、ここでは図１９等に示すように、５つの封印部材２７９ａ，２７９ｂが形成された構成となっており、この封印部材２７９ａ，２７９ｂの長孔に係止爪を挿入することでボックスベース２７６とボックスカバー２７７とが連結されるようになっている。この場合、係止爪を封印部材２７９ａ，２７９ｂから抜くことが不可能な構成となっているため、基板ボックス２７３を開封するためには封印部材２７９ａ，２７９ｂを破壊する必要が生じる。よって、基板ボックス２７３が不正に開封されたことの履歴を残すことができ、主制御基板２７８に対して不正が行われたことを発見することができる。
【０１９９】
ボックスカバー２７７及びボックスベース２７６には、封印ユニット２７９が設けられた側部とは反対側の側部に貼付板部２８１，２８２が設けられており、これら貼付板部２８１，２８２が締結具（連結具）としての金属製のネジ２８３，２８４によって締結されている（連結されている）。このように金属製のネジ２８３，２８４によって締結することで、主制御基板２７８を不正に取り外すべく両貼付板部２８１，２８２を締結する締結具を分断しようとする行為が抑制される。
【０２００】
かかる締結に関する構成について図２２に示す貼付板部２８１，２８２の縦断面図を用いて説明する。各貼付板部２８１，２８２には、それぞれの長辺方向の両端側に各貼付板部２８１，２８２を貫通するようにしてネジ孔２８５ａ，２８５ｂ，２８６ａ，２８６ｂが形成されている。ネジ孔２８５ａとネジ孔２８５ｂとはその軸線が同一軸線上に位置するようにして形成されており、これらが連通されて第１ネジ孔２８５が形成されている。一方、ネジ孔２８６ａとネジ孔２８６ｂとはその軸線が同一軸線上に位置するようにして形成されており、これらが連通されて第２ネジ孔２８６が形成されている。なお、第１ネジ孔２８５及び第２ネジ孔２８６は、各貼付板部２８１，２８２において上下に並んでいる。
【０２０１】
第１ネジ孔２８５には、貼付板部２８１におけるパチンコ機１０後方を向く面２８１ａ（以下、第１貼付面２８１ａともいう）側を段差状に拡径させて頭収容部２８７が形成されている。これに対して、第２ネジ孔２８６には、貼付板部２８２におけるパチンコ機１０前方を向く面２８２ａ（以下、第２貼付面２８２ａともいう）側を段差状に拡径させて頭収容部２８８が形成されている。そして、これら頭収容部２８７，２８８に各ネジ２８３，２８４の頭部２８３ａ，２８４ａが収容されるようにネジ２８３，２８４が螺着されている。つまり、一方のネジ２８３（以下、第１ネジ２８３ともいう）は第１貼付面２８１ａ側から螺着されているのに対して、他方のネジ２８４（以下、第２ネジ２８４ともいう）は第２貼付面２８２ａ側から螺着されている。
【０２０２】
各ネジ２８３，２８４の螺着に際しては、各頭部２８３ａ，２８４ａが各頭収容部２８７，２８８の段差部２８７ａ，２８８ａに当接するまで螺着される。この場合に、各頭部２８３ａ，２８４ａが段差部２８７ａ，２８８ａに当接した状態（すなわち、締結が完了した状態）では、各ネジ２８３，２８４の頭部２８３ａ，２８４ａは開口２８９，２９０（以下、取り外し側開口２８９，２９０ともいう）に対してＸ１の距離だけ内側の位置にある。つまり、各頭部２８３ａ，２８４ａの頂上（先端）の位置は各ネジ孔２８５，２８６における軸線方向の途中位置となっている。
【０２０３】
各ネジ２８３，２８４によって締結された貼付板部２８１，２８２には、図２１等に示すように、封印シール３００が貼り付けられている。この場合に、図２１や図２２等に示すように、各貼付板部２８１，２８２には、その上縁に一連の上側突条２９１ａ，２９２ａが一体形成されており、その下縁にも一連の下側突条２９１ｂ，２９２ｂが一体形成されている。そして、各貼付板部２８１，２８２が締結されていることにより、各上側突条２９１ａ，２９２ａの先端が相互に当接するとともに、各下側突条２９１ｂ，２９２ｂの先端が相互に当接している。また、各貼付板部２８１，２８２はそれぞれボックスカバー２７７の側方端部２９３及びボックスベース２７６の側方端部２９４に対して連続させて形成されており、これら側方端部２９３，２９４はそれぞれ各貼付板部２８１，２８２の基端側の区画壁を構成する。つまり、上側突条２９１ａ，２９２ａ、下側突条２９１ｂ，２９２ｂ、及び側方端部２９３，２９４は囲み部Ｃとして機能し、貼付板部２８１，２８２における貼付面２８１ａ、２８１ｂ，２８２ａ，２８２ｂは当該囲み部Ｃによって囲まれている。
【０２０４】
囲み部Ｃによって囲まれた貼付面２８１ａ、２８１ｂ，２８２ａ，２８２ｂに封印シール３００が略コ字状に曲げられて貼り付けられている。この場合に、封印シール３００の周縁は囲み部Ｃに近接しており、封印シール３００を剥がそうとしても、その剥がし行為が非常に困難なものとなっている。封印シール３００が貼り付けられていることにより貼付面２８１ａ、２８１ｂ，２８２ａ，２８２ｂのほぼ全域が覆われている。したがって、各ネジ孔２８５，２８６における取り外し側開口２８９，２９０は封印シール３００によって覆われている。
【０２０５】
次に、封印シール３００の構成を図２３〜図２６に基づいて説明する。図２３は封印シール３００の構成を示す断面図、図２４（ａ）は封印シール３００の構成を示す正面図、図２４（ｂ）は封印シール３００の構成を示す背面図、図２５は貼付面２８１ａ、２８１ｂ，２８２ａ，２８２ｂに対する封印シール３００の位置関係を説明するための説明図、図２６（ａ）は封印シール３００周辺を拡大して示す正面図、図２６（ｂ）は封印シール３００周辺を拡大して示す側面図、図２６（ｃ）は封印シール３００周辺を拡大して示す背面図である。なお、図２５においては、後述する各切り込み３０７，３０８，３０９を省略して示す。
【０２０６】
封印シール３００は、略矩形状のベースシート３０１を備えており、ベースシート３０１の背面には粘着剤が塗布され粘着層３０２が形成されている。粘着層３０２には電子タグとしてのＩＣタグ３０３が埋め込まれている。なお、図２３においては、粘着層３０２の背面側に剥離シート３０４が示してある。この剥離シート３０４は封印シール３００を基板ボックス２７３に貼り付ける際に剥がされる。
【０２０７】
ベースシート３０１はポリエステル系フィルムなどの可撓性樹脂フィルムにより形成されており適度な脆性を有し、さらに溶剤や熱に対して反応性を有する。具体的には、粘着層３０２を構成する粘着剤に対して溶解性を備えたトルエンなどがベースシート３０１に塗布されると、ベースシート３０１は変色する。また、粘着層の粘着力が低下する温度（例えば、５０℃）以上の熱が加えられた場合にもベースシート３０１は変色する。これにより、基板ボックス２７３の貼付板部２８１，２８２から封印シール３００を不正に剥がそうとして溶剤がかけられたり、熱が加えられたりした場合、ベースシート３０１が変色することで当該不正行為の痕跡を残すことができる。
【０２０８】
ベースシート３０１の表面には、図２４（ａ）に示すように、インク塗布部３０１ａ、識別番号部３０１ｂ及び機種情報部３０１ｃが設けられている。インク塗布部３０１ａには、紫外線などといった特定の波長の光が照射されることにより模様が表れる特殊インクが塗布されている。識別番号部３０１ｂには、複数の数字が記載されており、当該識別番号部３０１ｂに記載される数字はパチンコ機毎に異なっている。機種情報部３０１ｃには、当該遊技機の機種名や当該遊技機の製造メーカー名などが記載されている。なお、インク塗布部３０１ａ及び識別番号部３０１ｂが設けられた上部領域Ｒ１は貼付板部２８１の第１貼付面２８１ａに位置し、機種情報部３０１ｃが設けられた中間領域Ｒ２は両貼付板部２８１，２８２の側面側に位置し、下部領域Ｒ３は貼付板部２８２の第２貼付面２８２ａに位置している。
【０２０９】
粘着層３０２の粘着剤は、従来の封印シールと同様に、一旦貼り付けされた後に剥がされるとベースシート３０１から剥がれる程度の粘着力を有している。したがって、封印シール３００が剥がされた場合には再度貼り付けすることが不可能なものであり、さらには粘着層の一部が貼付板部２８１，２８２側に残ることとなる。よって、封印シール３００を不正に剥がした痕跡を残すことができる。
【０２１０】
ＩＣタグ３０３は、ＩＣチップ３０５及びアンテナ部３０６より構成されており、長尺状のアンテナ部３０６の中央付近にＩＣチップ３０５が配置されている。ＩＣチップ３０５は集積回路として形成されるものであり、制御部及びメモリ領域を有する。メモリ領域は、データ書き換え不可な不揮発性メモリ（ＲＯＭ）により構成されており、その記憶容量は例えば１２８ｂｉｔとなっている。メモリ領域には、識別情報としてのＩＤ情報が格納されている。具体的には、製造メーカ名（又は複数のメーカごとに付されたメーカ固有番号）、遊技機固有のＩＤ番号が格納されている。ＩＣチップ３０５のメモリ領域はデータ書き換え不可であるため、ＩＤ情報が不正に改ざんされる等の不都合が抑制できるようになっている。
【０２１１】
アンテナ部３０６は、アルミ等の金属薄層で形成されており、その厚みはＩＣチップ３０５の厚みよりも薄い。また、アンテナ部３０６は、共振周波数が２．４５ＧＨｚ等の一定周波数となるようにアンテナパターンとして作製されている。
【０２１２】
ＩＣチップ３０５のＩＤ情報は、制御部によって呼び出されてアンテナ部３０６から電波として発信することができるように構成されており、アンテナ部３０６から発信された電波を、リーダ装置で受信してＩＤ情報を読み取ることができるようになっている。かかるリーダ装置によるＩＤ情報の読み取りについては後に詳細に説明する。
【０２１３】
ＩＣタグ３０３（アンテナ部３０６）は、図２４（ｂ）に示すように、ベースシート３０１においてその一隅部側からその対角方向の隅部側に亘って斜めに配置されている。この場合、長尺状のアンテナ部３０６はその長手方向がベースシート３０１のすべての辺方向と交差することとなる。そして、封印シール３００が両貼付板部２８１，２８２に跨って貼り付けられているのに伴って、アンテナ部３０６も両貼付板部２８１，２８２に跨っている。また、ＩＣタグ３０３は、矩形状のベースシート３０１の中心に対して点対称となるように配置されている。
【０２１４】
封印シール３００には、アンテナ部３０６の長手方向に沿って等間隔で並ぶ多数のアンテナ用切り込み３０７が形成されている。アンテナ用切り込み３０７は、アンテナ部３０６の長手方向に対して略直交する方向に延びる直線状であり、ベースシート３０１の表面側から粘着層３０２の背面側まで貫通している（なお、図２４（ａ）ではアンテナ用切り込み３０７を省略して示してある）。
【０２１５】
アンテナ用切り込み３０７が延びる方向は、アンテナ部３０６の長手方向に対して略直交する方向であるため、ベースシート３０１のすべての辺方向と交差している。また、アンテナ用切り込み３０７は、アンテナ部３０６に若干掛かる構成となっている。この場合に、アンテナ部３０６はアンテナ用切り込み３０７により分断されていないため、ＩＤ情報の出力に関して弊害は生じない。また、アンテナ用切り込み３０７がアンテナ部３０６を挟んで直線状に並ばないように、アンテナ部３０６の一側に位置するアンテナ用切り込み３０７と他側に位置するアンテナ用切り込み３０７とは、アンテナ部３０６の長手方向にずらして形成されている。
【０２１６】
封印シール３００の４隅には、ベースシート３０１の表面側から粘着層３０２の背面側まで貫通する隅側切り込み３０８がそれぞれ形成されている。隅側切り込み３０８は、封印シール３００の隅角に沿うようにしてＬ字状に形成されている。また、封印シール３００の外縁には、図２４に示すように、外側端部から内側に向けて多数の外縁切り込み３０９が形成されている。これら外縁切り込み３０９は、内側から外側に向けて開くようにして鋭角のＶ字状となっており、さらに封印シール３００の外周に沿って等間隔で形成されている。
【０２１７】
封印シール３００を貼付板部２８１，２８２から剥がそうとする場合、封印シール３００をその隅角から剥がす場合と、封印シール３００の一辺に沿う方向に剥がす場合とが想定される。前者の場合、剥がす力に伴う応力が隅側切り込み３０８や外縁切り込み３０９に集中するため、封印シール３００の破壊が生じ易い。一方、後者の場合、この剥がす方向はアンテナ部３０６の延びる方向に対して交差する方向である。したがって、剥がす力に伴う応力がアンテナ用切り込み３０７の端部に集中することで、アンテナ用切り込み３０７を介してベースシート３０１が破壊され、アンテナ部３０６が分断される。アンテナ部３０６が分断されるとＩＤ情報を含んだ電波が発信されなくなるので、リーダ装置にてＩＤ情報を読み取ることができなくなる。よって、主制御基板２７８に対して不正行為が行われた場合には、それを容易に発見することができる。
【０２１８】
次に、封印シール３００のアンテナ部３０６と各貼付板部２８１，２８２を締結する各ネジ２８３，２８４との位置関係について説明する。
【０２１９】
アンテナ部３０６の両端部３０６ａ，３０６ｂは、図２６等に示すように、第１貼付面２８１ａ及び第２貼付面２８２ａにおいて、各ネジ孔２８５，２８６における取り外し側開口２８９，２９０を跨ぐようにして配置されている。詳細には、アンテナ部３０６の短手方向の寸法は当該開口２８９，２９０の孔径よりも小さくなっており、さらにアンテナ部３０６はその両端部３０６ａ，３０６ｂが取り外し側開口２８９，２９０を挟んで当該開口２８９，２９０の周縁部を架渡すように配置されている。このようにアンテナ部３０６が配置されていることにより、アンテナ部３０６の両端部３０６ａ，３０６ｂは対応するネジ２８３，２８４の頭部２８３ａ，２８４ａと対峙している。
【０２２０】
かかる構成において、上記のとおり、各ネジ２８３，２８４の頭部２８３ａ，２８４ａの頂上の位置は各ネジ孔２８５，２８６における軸線方向の途中位置となっている。すなわち、各頭部２８３ａ，２８４ａの頂上の位置は封印シール３００に対して各ネジ孔２８５，２８６内に入り込んだ位置となっている。したがって、アンテナ部３０６と各ネジ２８３，２８４とは、図２２に示すように離間されている。また、アンテナ部３０６と各ネジ２８３，２８４との間には両者を介在する介在部材が設けられていない。つまり、アンテナ部３０６と各ネジ２８３，２８４との間には空間Ｓが設けられている。これにより、アンテナ部３０６が各ネジ２８３，２８４に接触することが防止されている。特に、上記のとおりアンテナ部３０６が取り外し側開口２８９，２９０を挟んで当該開口２８９，２９０の周縁部を架渡すように配置されているため、アンテナ部３０６がネジ孔２８５，２８６内に向けて撓みにくくなり、アンテナ部３０６と各ネジ２８３，２８４の頭部２８３ａ，２８４ａとを対峙させた構成において両者を確実に離間させることができる。例えば、アンテナ部３０６が各ネジ２８３，２８４に接触すると、設定された共振周波数（本実施の形態では、２．４５ＧＨｚ）が変化してしまい、ＩＣチップ３０５に記憶されたＩＤ情報がリーダ装置によって読み取れなくなるおそれがあるが、本実施の形態における構成によればかかる不都合の発生を防止することができる。
【０２２１】
上記のとおり各貼付板部２８１，２８２には囲み部Ｃが形成されており、封印シール３００の周縁は囲み部Ｃに近接している。したがって、封印シール３００の貼り付け作業に際しては、封印シール３００が囲み部Ｃによって囲まれた領域内からはみ出ないように貼り付けることで、アンテナ部３０６の両端部３０６ａ，３０６ｂが取り外し側開口２８９，２９０を跨ぎ、各ネジ２８３，２８４の頭部２８３ａ，２８４ａと対峙する。
【０２２２】
また、図２５に示すように、囲み部Ｃによって囲まれる領域は、封印シール３００の面積よりも広くなっている。これにより、封印シール３００の貼り付け作業に際しては、貼り付け位置に所定のゆとりが生まれ、貼り付け作業の作業性が向上されている。この場合に、その貼り付け位置のゆとりは、アンテナ部３０６の両端部３０６ａ，３０６ｂが取り外し側開口２８９，２９０を跨ぎ、且つ各ネジ２８３，２８４の頭部２８３ａ，２８４ａと対峙する範囲内で形成されている。さらに、上記のとおりＩＣタグ３０３は矩形状のベースシート３０１の中心に対して点対称となるように配置されているため、封印シール３００を上下逆に貼り付けたとしても、アンテナ部３０６の両端部３０６ａ，３０６ｂが取り外し側開口２８９，２９０を跨ぎ、且つ各ネジ２８３，２８４の頭部２８３ａ，２８４ａと対峙する。
【０２２３】
次に、第２制御基板ユニット２０２の構成を図２７〜図２９に基づいて説明する。図２７は第２制御基板ユニット２０２の正面図、図２８は同ユニット２０２の斜視図、図２９は同ユニット２０２の分解斜視図である。
【０２２４】
第２制御基板ユニット２０２は横長形状をなす取付台３２５を有し、取付台３２５に払出制御装置３１１、電源及び発射制御装置３１３が搭載されている。
【０２２５】
払出制御装置３１１は、賞品球や貸出球の払出を制御する払出制御基板を具備しており、当該払出制御基板が基板ボックス３１５に収容されて構成されている。基板ボックス３１５は、ボックスベース３１７とボックスカバー３１８とから構成されている。これらボックスベース３１７及びボックスカバー３１８は、ポリカーボネート樹脂などといった透明性を有する合成樹脂により形成されている。これらボックスベース３１７及びボックスカバー３１８には封印手段としての封印ユニット３１９が設けられている。また、ボックスベース３１７とボックスカバー３１８とを跨ぐようにして封印シール３２０が貼り付けられている。
【０２２６】
封印シール３２０には、主制御装置２７１に貼り付けられた封印シール３２０と同様に、ＩＣチップ３２０ｂ及びアンテナ部３２０ｃを有するＩＣタグ３２０ａが埋め込まれている（図２８参照）。ＩＣチップ３２０ｂに格納されたＩＤ情報は、主制御装置２７１のＩＣチップ３０５に格納されたＩＤ情報とは内容が異なっている。また、アンテナ部３２０ｃのパターンは主制御装置２７１のアンテナ部３０６のパターンと異なっており、アンテナ部３２０ｃの共振周波数は主制御装置２７１のアンテナ部３０６の共振周波数と異なっている。つまり、主制御装置２７１のアンテナ部３０６の共振周波数が第１周波数（例えば、２．４５ＧＨｚ）であるのに対して、払出制御装置３１１のアンテナ部３２０ｃの共振周波数は第１周波数とは異なる第２周波数（例えば、９５３ＭＨｚ）となっている。ＩＣタグ３２０ａのＩＤ情報は、リーダ装置にて読み取られる。かかるリーダ装置によるＩＤ情報の読み取りについては後に詳細に説明する。
【０２２７】
電源及び発射制御装置３１３は、基板ボックス３１６内に電源及び発射制御基板が収容されており、当該基板により、各種制御装置等で要する所定の電力が生成されて出力され、さらに遊技者による遊技球発射ハンドル１８の操作に伴う遊技球の打ち出しの制御が行われる。また、電源及び発射制御装置３１３にはＲＡＭ消去スイッチ３２３が設けられている。本パチンコ機１０は各種データの記憶保持機能を有しており、万一停電が発生した際でも停電時の状態を保持し、停電からの復帰（復電）の際には停電時の状態に復帰できるようになっている。したがって、例えば遊技ホールの営業終了の場合のように通常手順で電源を遮断すると遮断前の状態が記憶保持されるが、ＲＡＭ消去スイッチ３２３を押しながら電源を投入すると、ＲＡＭデータが初期化されるようになっている。
【０２２８】
取付台３２５は例えば無色透明な樹脂成型品よりなり、その表面に平坦状をなす基板搭載面３２６が設けられている。基板搭載面３２６には、電源及び発射制御装置３１３が搭載され、ネジ等で固定されている。電源及び発射制御装置３１３の基板ボックス３１６上には略平板状の台座プレート３２７が載置されるとともに台座プレート３２７上に払出制御装置３１１が搭載され、ネジ等で固定されている。払出制御装置３１１と電源及び発射制御装置３１３との間には台座プレート３２７が介在するため、例えばノイズ除去用の金属プレート等を設置するには台座プレート３２７に金属プレート等を取り付ければ良く、ノイズ対策が簡単に実現できる。
【０２２９】
取付台３２５には、パチンコ機１０後方からみて右端部に上下一対の掛止ピン３２８が設けられており、掛止ピン３２８を前記軸受け部２３７に上方から挿通させることで、第２制御基板ユニット２０２が本体枠１２に対して回動可能に片持ち支持される。取付台３２５の左端部には締結具として上下一対のナイラッチ３２９が設けられており、ナイラッチ３２９を前記被締結孔２３９にはめ込むことで、第２制御基板ユニット２０２が本体枠１２に固定される。なお、軸受け部２３７及び掛止ピン３２８が前記支軸部Ｍ４に、被締結孔２３９及びナイラッチ３２９が前記締結部Ｍ５に、それぞれ相当する。
【０２３０】
次に、裏パックユニット２０３の構成を図３０，図３１に基づいて説明する。図３０は裏パックユニット２０３の正面図、図３１は裏パックユニット２０３の分解斜視図である。
【０２３１】
裏パックユニット２０３は、裏パック３５１と遊技球の払出機構部３５２とが一体化されることにより構成されている。裏パック３５１は合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。
【０２３２】
裏パック３５１のベース部３５３には、保護カバー部３５４を迂回するようにして払出機構部３５２が配設されている。すなわち、裏パック３５１の最上部には上方に開口したタンク３５５が設けられており、タンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、タンクレール３５６の下流側には上下方向に延びるケースレール３５７が連結されている。払出装置３５８はケースレール３５７の最下流部に設けられ、払出制御装置３１１の制御により払出モータ３５８ａが駆動されて必要個数の遊技球の払出が適宜行われる。払出装置３５８より払い出された遊技球は払出通路３５９等を通じて前記上皿２３等に供給される。
【０２３３】
払出機構部３５２には、払出制御装置３１１から払出装置３５８への払出指令の信号を中継する裏パック制御基板３８１が設置されている。また、裏パック制御基板３８１は、外部より主電源を取り込む役割を果たす。即ち、裏パック制御基板３８１には、例えば交流２４ボルトの主電源が供給され、電源スイッチ３８１ａの切替操作により電源ＯＮ又は電源ＯＦＦとされるようになっている。
【０２３４】
裏パック３５１には、その右上部に枠用外部端子板３９０が設けられている。枠用外部端子板３９０には、タンク３５５やタンクレール３５６で遊技球が不足した場合に信号出力するための出力端子、所定個数の賞球を払い出す毎に信号出力するための出力端子、所定個数の遊技球を貸し出す毎に信号出力するための出力端子、本体枠１２の開放時に信号出力するための出力端子、及び前扉枠１３の開放時に信号出力するための出力端子が設けられている。そして、これらの出力端子を通じて、遊技ホール側の管理制御装置に対して枠側の状態に関する信号が出力される。
【０２３５】
裏パック３５１には、パチンコ機１０後方からみて右端部に上下一対の掛止ピン３８５が設けられており、掛止ピン３８５を前記軸受け部２３８に上方から挿通させることで、裏パックユニット２０３が本体枠１２に対して回動可能に片持ち支持される。裏パック３５１には、左端部に締結具として上下一対のナイラッチ３８６が設けられると共に、上端部に係止孔３８７が設けられており、ナイラッチ３８６を前記被締結孔２４０にはめ込むと共に、係止孔３８７に前記固定具２４２を挿入した上で当該固定具２４２を回動操作することで、裏パックユニット２０３が本体枠１２に固定される。また、前記固定具２４１，２４３によっても裏パックユニット２０３が本体枠１２に固定される。なお、軸受け部２３８及び掛止ピン３８５が前記支軸部Ｍ６に、被締結孔２４０及びナイラッチ３８６が前記締結部Ｍ７に、固定具２４２及び係止孔３８７が前記係止部Ｍ８に、それぞれ相当する。また、固定具２４３が前記係止部Ｍ９に相当する。
【０２３６】
次に、本パチンコ機１０の電気的構成について、図３２のブロック図に基づいて説明する。図３２では、電力の供給ラインを二重線矢印で示し、信号ラインを実線矢印で示す。
【０２３７】
主制御装置２７１に設けられた主制御基板２７８には、主制御回路５００と停電監視回路５０８とが内蔵されている。主制御回路５００には、上述したマイコンチップ２７８ａとしてのＣＰＵ５０１が搭載されている。ＣＰＵ５０１には、当該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ入出力回路などの各種回路が内蔵されている。
【０２３８】
ＲＡＭ５０３は、パチンコ機１０の電源の遮断後においても電源及び発射制御装置３１３に設けられた電源及び発射制御基板３１３ａからデータ記憶保持用電力（データ記憶保持用電圧）が供給されてデータが保持される構成となっている。詳細には、電源及び発射制御基板３１３ａには、データ記憶保持用コンデンサが設けられており、当該コンデンサからデータ記憶保持用電力が供給される。
【０２３９】
ＣＰＵ５０１には、アドレスバス及びデータバスで構成されるバスラインを介して入出力ポートが接続されている。主制御回路５００の入力側には、主制御基板２７８に設けられた電源監視回路５０８、払出制御装置３１１に設けられた払出制御基板３１１ａ及びその他図示しないスイッチ群などが接続されている。この場合に、電源監視回路５０８には電源及び発射制御基板３１３ａが接続されており、主制御回路５００には電源監視回路５０８を介して電力が供給される。
【０２４０】
一方、主制御回路５００の出力側には、電源監視回路５０８、払出制御基板３１１ａ及び中継端子板２７６が接続されている。払出制御基板３１１ａには、賞球コマンドなどといった各種コマンドが出力される。かかる場合に、当該各種コマンドは、ハーネスを介して一方向通信によって出力される。中継端子板２７６を介して主制御回路５００から音声ランプ制御装置２７２に設けられた音声ランプ制御基板２７２ａに対して各種コマンドなどが出力される。
【０２４１】
電源監視回路５０８は、主制御回路５００と電源及び発射制御基板３１３ａとを中継し、また電源及び発射制御基板３１３ａから出力される最大電源である直流安定２４ボルトの電源を監視する。
【０２４２】
払出制御基板３１１ａは、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０２４３】
払出制御基板３１１ａのＲＡＭ５１３は、主制御回路５００のＲＡＭ５０３と同様に、パチンコ機１０の電源の遮断後においても電源及び発射制御基板３１３ａからデータ記憶保持用電力が供給されてデータを保持できる構成となっている。
【０２４４】
払出制御基板３１１ａのＣＰＵ５１１には、アドレスバス及びデータバスで構成されるバスラインを介して入出力ポートが接続されている。払出制御基板３１１ａの入力側には、主制御回路５００、電源及び発射制御基板３１３ａ、及び裏パック接続基板３８１が接続されている。また、払出制御基板３１１ａの出力側には、主制御回路５００及び裏パック接続基板３８１が接続されている。この場合に、裏パック接続基板３８１を介して払出装置３５８などを含む払出機構部３５２が接続されている。
【０２４５】
電源及び発射制御基板３１３ａは、電源部と発射制御部とを備えている。電源部は、二重線矢印で示す経路を通じて、主制御回路５００や払出制御基板３１１ａ等に対して各々に必要な動作電力を供給する。その概要としては、電源部は、裏パック接続基板３８１を介して供給される交流２４ボルト電源を取り込み、各種スイッチやモータ等を駆動するための＋１２Ｖ電力、ロジック用の＋５Ｖ電力、ＲＡＭのデータ記憶保持用電力などを生成し、これら＋１２Ｖ電力、＋５Ｖ電力及びデータ記憶保持用電力を主制御回路５００や払出制御基板３１１ａ等に対して供給する。なお、データ記憶保持用電力を生成するとは、データ記憶保持用コンデンサの充電を行うことをいう。
【０２４６】
発射制御部は、遊技者による遊技球発射ハンドル１８の操作にしたがって発射ソレノイド１６２の発射制御を担うものであり、発射ソレノイド１６２は所定の発射条件が整っている場合に駆動される。具体的には、発射制御部には遊技球発射ハンドル１８に設けられた発射スイッチ３３１、タッチセンサ３３２及び止め打ちスイッチ３３３が接続されており、発射スイッチ３３１及びタッチセンサ３３２がオン、止め打ちスイッチ３３３がオフの状態となった場合に限って発射許可信号を主制御回路５００（電源監視回路５０８を介して）に出力する。主制御回路５００は、当該発射許可信号の入力に基づいて所定周期の発射制御信号を発射制御部（電源監視回路５０８を介して）に出力する。これにより、発射制御部は、発射制御信号の入力周期にしたがって発射ソレノイド１６２を駆動する。この場合に、遊技球発射ハンドル１８にはハンドル操作量を判定するためのダイヤル可変抵抗器が設けられており、発射制御部はダイヤル可変抵抗器における抵抗値の変化に基づいて発射ソレノイド１６２による打ち出し速度を決定する。
【０２４７】
なお、電源部には、ＲＡＭ消去スイッチ回路が設けられており、ＲＡＭ消去スイッチ３２３のスイッチ信号を取り込み、そのスイッチ３２３の状態に応じて主制御回路５００のＲＡＭ５０３に記憶されたデータをクリアするためのＲＡＭ消去信号を出力する。即ち、ＲＡＭ消去スイッチ３２３が押された際、ＲＡＭ消去スイッチ回路は主制御回路５００に対してＲＡＭ消去信号を出力する。これにより、ＲＡＭ消去スイッチ３２３が押された状態でパチンコ機１０の電源が投入されると、主制御回路５００においてＲＡＭ５０３のデータがクリアされる。また、この際、主制御回路５００から払出制御基板３１１ａに対して払出初期化コマンドが出力され、払出制御基板３１１ａにおいてもＲＡＭ５１３のデータがクリアされる。
【０２４８】
音声ランプ制御基板２７２ａは、スピーカ２０や各種ランプ１０２〜１０６、及び表示制御装置２１４を制御するものである。演算装置であるＣＰＵ５２１は、そのＣＰＵ５２１により実行される制御プログラムや固定値データ等を記憶したＲＯＭ５２２と、ワークメモリ等として使用されるＲＡＭ５２３とを備えている。
【０２４９】
音声ランプ制御基板２７２ａのＣＰＵ５２１にはアドレスバス及びデータバスで構成されるバスラインを介して入出力ポートが接続されている。音声ランプ制御基板２７２ａの入力側には中継端子板２７６に中継されて主制御回路５００が接続されており、基本的には主制御回路５００から出力される各種コマンドに基づいて、スピーカ２０、各種ランプ１０２〜１０６、及び表示制御装置２１４を制御する。表示制御装置２１４は、音声ランプ制御基板２７２ａから入力する表示コマンドに基づいて図柄表示装置４１を制御する。
【０２５０】
次に、主制御装置２７１に設けられたＩＣタグ３０３（以下、主側ＩＣタグ３０３ともいう）及び払出制御装置３１１に設けられたＩＣタグ３２０ａ（以下、払出側ＩＣタグ３２０ａともいう）からのＩＤ情報の読み取りに関する構成を説明する。図３３は、主制御装置２７１及び払出制御装置３１１周辺を拡大して示すパチンコ機１０の背面図である。
【０２５１】
上述したとおり、主制御装置２７１及び払出制御装置３１１には、それぞれ封印シール３００，３２０が貼り付けられており、各封印シール３００，３２０にはそれぞれＩＣタグ３０３，３２０ａが埋め込まれている。そして、これらＩＣタグ３０３，３２０ａのＩＤ情報はリーダ装置により読み取られる。この場合に、リーダ装置はパチンコ機１０に搭載されており、さらに各ＩＣタグ３０３，３２０ａに対応させて設けられている。
【０２５２】
主側ＩＣタグ３０３用のリーダ装置５３１（以下、主用リーダ装置５３１という）は払出制御装置３１１の基板ボックス３１５内に設けられている。ここで、当該主用リーダ装置５３１について図３４及び図３５を用いて説明する。図３４は払出制御装置３１１の斜視図であり、図３５は払出制御装置３１１の断面図である。
【０２５３】
図３４に示すように、払出制御装置３１１の基板ボックス３１５を構成するボックスカバー３１８には、封印シール３２０が貼り付けられた側とは反対側に、主用リーダ装置５３１を収容するための収容部５３２が一体形成されている。収容部５３２は、図３５に示すように、払出制御基板３１１ａとの間の距離が収容部５３２外のベース部５３３に比して広くなるように一体形成されている。つまり、収容部５３２はベース部５３３よりも払出制御装置３１１の厚み方向外方（パチンコ機１０の前後方向においては後方）に突出しており、ボックスカバー３１８は段差状となっている。また、収容部５３２はボックスカバー３１８の上縁を一端として形成されている。
【０２５４】
収容部５３２の裏面５３２ａ側には、払出制御基板３１１ａに向けて延びるボス５３２ｂが一体形成されており、当該ボス５３２ｂに対して払出制御基板３１１ａ側からネジ５３４を螺着させて主用リーダ装置５３１が固定されている。この場合、主用リーダ装置５３１は、収容部５３２と払出制御基板３１１ａとの間の収容空間に収容されている。また、ボックスカバー３１８はパチンコ機１０の背面部を構成しパチンコ機１０の背面において露出しており、さらに当該ボックスカバー３１８は上記のとおり透明性を有する材料により成型されている。したがって、払出制御装置３１１をパチンコ機１０に搭載した状態において主用リーダ装置５３１を目視することが可能である。
【０２５５】
ちなみに、払出制御基板３１１ａは、ボックスカバー３１８に一体形成されたボス５３５に対してボックスベース３１７側からネジ５３６を螺着することにより固定されている。したがって、ボックスカバー３１８から主用リーダ装置５３１を取り外すためには、先ずボックスカバー３１８から払出制御基板３１１ａを取り外す必要がある。
【０２５６】
主用リーダ装置５３１は箱状をなすハウジング５３１ａを有しており、当該ハウジング５３１ａの底面は払出制御基板３１１ａの素子搭載面５３７と対峙している。この場合に、払出制御基板３１１ａの素子搭載面５３７には基本的に配線パターンが形成され電子部品が実装されているが、主用リーダ装置５３１のハウジング５３１ａと対峙する対峙領域Ｓには配線パターンが形成されておらずさらに電子部品が実装されていない。これにより、基板ボックス３１５内に払出制御基板３１１ａを収容した状態で素子搭載面５３７に形成された配線パターンや実装された電子部品を目視しようとした場合に、主用リーダ装置５３１が邪魔になってそれらの一部を目視することができないといった不都合の発生を抑制することができる。
【０２５７】
主用リーダ装置５３１の一端には、図３３に示すように、主側ＩＣタグ３０３に対して呼出波を発信するとともに、主側ＩＣタグ３０３から発信された応答波を受信するためのリーダアンテナ５４１が設けられている。そして、このリーダアンテナ５４１が上側となるようにして、主用リーダ装置５３１は配置されている。また、主用リーダ装置５３１は、基板ボックス３１５において上縁に偏倚させて配置されている。また、払出制御装置３１１は主制御装置２７１の下方に配置されており、主用リーダ装置５３１におけるリーダアンテナ５４１の略鉛直上方に主側ＩＣタグ３０３がある。さらに、主用リーダ装置５３１と主側ＩＣタグ３０３との間には、配線を含め金属製の部材が介在していない。したがって、主用リーダ装置５３１のリーダアンテナ５４１は主側ＩＣタグ３０３に対して極力近い位置にあり、さらに主用リーダ装置５３１と主側ＩＣタグ３０３との間で電波の行き来を阻害する部材が設けられていない。よって、主用リーダ装置５３１における主側ＩＣタグ３０３のＩＤ情報の読み取りを良好に行うことができる。
【０２５８】
ここで、主用リーダ装置５３１におけるＩＤ情報の読み取りについて詳細に説明する。主用リーダ装置５３１から所定周波数の呼出波が発信されると、その呼出波により誘導電磁界が形成される。この誘導電磁界が形成された範囲内には主側ＩＣタグ３０３が含まれており、さらに上記呼出波の周波数は主側ＩＣタグ３０３のアンテナ部３０６に設定された共振周波数となっている。したがって、アンテナ部３０６において電磁誘導により起電力が発生する。主側ＩＣタグ３０３のＩＣチップ３０５ではこの起電力を電源として、メモリ領域に記憶されているＩＤ情報を呼び出してアンテナ部３０６からＩＤ情報を含んだ応答波を発信する。そして、この応答波を主用リーダ装置５３１において受信することで、ＩＤ情報の読み取りが行われる。なお、かかるＩＤ情報の読み取りの仕方は後述する払出用リーダ装置５６１においても同様である。
【０２５９】
主用リーダ装置５３１は、払出制御基板３１１ａに対して接続されている。詳細には、主用リーダ装置５３１と払出制御基板３１１ａの素子搭載面５３７とにはそれぞれコネクタ５５１，５５２が設けられており、これら両コネクタ５５１，５５２を接続するようにしてコネクタ付信号線５５３（両端にコネクタが設けられた信号線）が接続されている。これにより、主用リーダ装置５３１は払出制御基板３１１ａ（払出制御基板３１１ａに設けられたＣＰＵ５１１）の制御に基づいて呼出波を発信し、主側ＩＣタグ３０３からのＩＤ情報の読み取り結果は払出制御基板３１１ａに入力される。なお、主用リーダ装置５３１に対しては、払出制御基板３１１ａを介して電力が供給されている。
【０２６０】
次に、払出側ＩＣタグ３２０ａ用のリーダ装置５６１（以下、払出用リーダ装置５６１という）について説明する。払出用リーダ装置５６１は、主制御装置２７１の基板ボックス２７３内に設けられている（図１９参照）。この場合に、基板ボックス２７３に対する払出用リーダ装置５６１の設置に関する構成は、基板ボックス３１５に対する主用リーダ装置５３１の設置に関する構成と類似している。したがって、説明の便宜上、払出用リーダ装置５６１の設置に関する構成については簡略に説明する。
【０２６１】
払出用リーダ装置５６１は、基板ボックス２７３のボックスカバー２７７と主制御基板２７８との間の空間に設けられている。払出用リーダ装置５６１の一端には、図３３に示すように、払出側ＩＣタグ３２０ａに対して呼出波を発信するとともに、払出側ＩＣタグ３２０ａから発信された応答波を受信するためのリーダアンテナ５６２が設けられている。そして、このリーダアンテナ５６２が下側となるようにして、払出用リーダ装置５６１が配置されている。また、払出用リーダ装置５６１は、基板ボックス２７３において下縁に偏倚させて配置されている。また、主制御装置２７１は払出制御装置３１１の上方に配置されており、払出用リーダ装置５６１におけるリーダアンテナ５６２の略鉛直下方に払出側ＩＣタグ３２０ａがある。さらに、払出用リーダ装置５６１と払出側ＩＣタグ３２０ａとの間には、配線を含め金属製の部材が介在していない。したがって、払出用リーダ装置５６１のリーダアンテナ５６２は払出側ＩＣタグ３２０ａに対して極力近い位置にあり、さらに払出用リーダ装置５６１と払出側ＩＣタグ３２０ａとの間で電波の行き来を阻害する部材が設けられていない。よって、払出用リーダ装置５６１における払出側ＩＣタグ３２０ａのＩＤ情報の読み取りを良好に行うことができる。
【０２６２】
払出用リーダ装置５６１は、主制御基板２７８に対して接続されている。これにより、払出用リーダ装置５６１は主制御基板２７８（主制御基板２７８に設けられたＣＰＵ５０１）の制御に基づいて所定周波数の呼出波を発信し、払出側ＩＣタグ３２０ａからのＩＤ情報の読み取り結果は主制御基板２７８に入力される。この場合に、払出用リーダ装置５６１から発信される呼出波の周波数は、払出側ＩＣタグ３２０ａの共振周波数であり、主用リーダ装置５３１から発信される呼出波の周波数とは異なっている。
【０２６３】
以上のとおり、各リーダ装置５３１，５６１が設けられており、払出制御装置３１１に設けられた主用リーダ装置５３１によって主制御装置２７１に取り付けられた主側ＩＣタグ３０３のＩＤ情報が読み取られ、主制御装置２７１に設けられた払出用リーダ装置５６１によって払出制御装置３１１に取り付けられた払出側ＩＣタグ３２０ａのＩＤ情報が読み取られる。そして、各リーダ装置５３１，５６１にて読み取ったＩＤ情報は、それぞれ各リーダ装置５３１，５６１の設置先の制御基板２７８，３１１ａに入力される。
【０２６４】
ここで、上記のとおり、各ＩＣタグ３０３，３２０ａのアンテナ部３０６，３２０ｃはそれぞれ共振周波数が異なるように作製されている。また、各リーダ装置５３１，５６１からは対応するアンテナ部３０６，３２０ｃの共振周波数に設定された呼出波が発信される。したがって、いずれかのリーダ装置５３１，５６１から呼出波が発信された場合、その呼出波によって対象外のＩＣタグ３０３，３２０ａから応答波が発信されることを確実に防止することができる。
【０２６５】
また、各ＩＣタグ３０３，３２０ａから発信される応答波の伝播距離は、対応するリーダ装置５３１，５６１からの呼出波の強度に依存する。この場合に、各ＩＣタグ３０３，３２０ａからの応答波の伝播範囲ＷＡ１，ＷＡ２内に対象外のリーダ装置５３１，５６１が含まれないように、各リーダ装置５３１，５６１の呼出波の強度が設定されている。これにより、各リーダ装置５３１，５６１において対象外のＩＣタグ３０３，３２０ａから応答波を受信する、すなわち、対象外のＩＣタグ３０３，３２０ａからＩＤ情報を読み取ることを防止することができる。
【０２６６】
次に、各リーダ装置５３１，５６１によるＩＤ情報の読み取りに関する電気的構成について、図３６のブロック図に基づいて説明する。
【０２６７】
各リーダ装置５３１，５６１は、図３６に示すように、その内部にＣＰＵ５４２，５６３、ＲＦ回路５４３，５６４、及び上述したリーダアンテナ５４１，５６２を備えている。ＣＰＵ５４２，５６３には、当該ＣＰＵ５４２，５６３により実行される各種の制御プログラムや固定値データを記憶したＲＯＭと、そのＲＯＭ内に記憶される制御プログラムの実行に際して各種のデータ等を一時的に記憶するためのメモリであるＲＡＭが内蔵されている。
【０２６８】
各ＣＰＵ５４２，５６３はそのリーダ装置５３１，５６１の設置先の制御装置２７１，３１１に設けられたＣＰＵ５０１，５１１に対して接続されている。すなわち、主用リーダ装置５３１のＣＰＵ５４２は払出制御装置３１１のＣＰＵ５１１に接続されており、払出用リーダ装置５６１のＣＰＵ５６３は主制御装置２７１のＣＰＵ５０１に接続されている。したがって、上記のとおり、主用リーダ装置５３１は払出制御装置３１１の制御に基づいて呼出波を発信し、主側ＩＣタグ３０３から応答波を受信することで読み取ったＩＤ情報は払出制御装置３１１に入力される。また、払出用リーダ装置５６１は主制御装置２７１の制御に基づいて呼出波を発信し、払出側ＩＣタグ３２０ａから応答波を受信することで読み取ったＩＤ情報は主制御装置２７１に入力される。
【０２６９】
主制御装置２７１及び払出制御装置３１１では、各リーダ装置５３１，５６１から入力したＩＤ情報に基づいて不正検出処理を実行する。そして、その検出結果に基づいて音声ランプ制御装置２７２や遊技ホールに設けられたホールコンピュータＨＣに所定の情報を出力する。この場合に、ホールコンピュータＨＣに対する情報の出力は、有線であっても無線であってもよい。また、有線とした構成においては、その信号線をパチンコ機１０に搭載された中継基板（例えば、盤用外部端子板２３０）にて中継させるか否かは任意である。但し、中継基板にて中継させると当該中継基板に対して不正用チップなどを設ける不正行為が想定されるため、中継基板にて中継させない構成とするのが好ましい。
【０２７０】
次に、主制御装置２７１のＣＰＵ５０１及び払出制御装置３１１のＣＰＵ５１１においてそれぞれ所定周期（例えば、４ｍｓｅｃ毎）で実行される不正検出処理について図３７のフローチャートを用いて説明する。但し、各制御装置２７１，３１１において実行される不正検出処理はほぼ同一の処理構成をなしているため、ここでは払出制御装置３１１のＣＰＵ５１１にて実行される不正検出処理について説明する。
【０２７１】
不正検出処理では先ずステップＳ１１にて、ＲＡＭ５１３に設けられた待機中フラグ格納エリアに待機中フラグがセットされているか否かを判定する。待機中フラグは払出制御装置３１１が主用リーダ装置５３１に対して電波発信信号を出力することでセットされ、発信停止信号を出力することでクリアされるフラグである。そして、主用リーダ装置５３１は、電波発信信号を入力することで所定周波数の呼出波を発信し、発信停止信号を入力することで呼出波の発信を停止する。したがって、待機中フラグがセットされている間は主用リーダ装置５３１からのＩＤ情報の入力待ち状態にある。
【０２７２】
待機中フラグがセットされていない場合には、ステップＳ１２〜ステップＳ１３の不正検出設定処理を実行する。一方、待機中フラグがセットされている場合には、ステップＳ１４〜ステップＳ１８の不正検出判定処理を実行する。
【０２７３】
不正検出設定処理では、先ずステップＳ１２にて不正の検出開始時期となったか否かを判定する。ここで、本実施の形態では、主用リーダ装置５３１から呼出波が発信されていない状態で予め定められた特定期間（例えば、３０ｍｉｎ）が経過した場合にステップＳ１２にて肯定判定をし、経過していない場合にはステップＳ１２にて否定判定をする。ステップＳ１２にて否定判定をした場合には、そのまま本処理を終了する。一方、ステップＳ１２にて肯定判定をした場合には、ステップＳ１３にて電波発信信号を主用リーダ装置５３１に対して出力する。これにより、主用リーダ装置５３１のＣＰＵ５４２は、ＲＦ回路５４３を駆動し、リーダアンテナ５４１を介して所定周波数の呼出波を発信させる。また、ステップＳ１２では、待機中フラグをセットする。その後、本処理を終了する。
【０２７４】
ステップＳ１２にて待機中フラグがセットされることにより、次回の不正検出処理ではステップＳ１１にて肯定判定をする。これにより、不正検出判定処理を開始する。不正検出判定処理では、先ずステップＳ１４にて主用リーダ装置５３１からＩＤ情報を入力したか否かを判定する。ＩＤ情報を入力している場合には、ステップＳ１５にてＩＤ情報出力処理を実行する。
【０２７５】
このＩＤ情報出力処理では、入力したＩＤ情報をホールコンピュータＨＣに対して出力する。この際、払出制御装置３１１からはＩＤ情報と共に、ＩＤ情報発信元のＩＣタグを特定するための識別用固有情報を出力する。この識別用固有情報としては、例えば、そのＩＣタグが設けられたパチンコ機１０の固有情報（例えば、台番号）、及び主制御装置２７１に設けられた旨の固有情報を含む情報が考えられる。
【０２７６】
ホールコンピュータＨＣでは、管理データとして記憶されている管理用のＩＤ情報と、入力したＩＤ情報との比較処理を実行する。この場合、遊技ホールには多数のパチンコ機１０が設置されており、管理データには識別用固有情報と対応させてＩＤ情報が記憶されている。したがって、上記比較処理においては、先ず識別用固有情報を参照することで比較をすべきＩＤ情報を特定した後に、ＩＤ情報の比較を行う。そして、その比較の結果、ＩＤ情報が一致しなかった場合はその結果をエラーデータとして記憶する。この際、エラーが発生した対象がどのパチンコ機１０の主制御装置２７１かが分かる態様でエラーデータが記憶される。これにより、遊技ホールの管理者等はかかるエラーデータを確認することで、不正の発生及びその不正が発生した対象を確認することができる。
【０２７７】
ステップＳ１５にＩＤ情報出力処理を実行した後は、ステップＳ１６にて発信停止信号を主用リーダ装置５３１に対して出力する。これにより、主用リーダ装置５３１のＣＰＵ５４２は、ＲＦ回路５４３を駆動し、リーダアンテナ５４１を介した呼出波の発信を停止させる。また、ステップＳ１５では待機中フラグをクリアする。その後、本処理を終了する。
【０２７８】
一方、ステップＳ１４にてＩＤ情報を入力していなかった場合には、ステップＳ１７に進む。ステップＳ１７では、ステップＳ１３にて電波発信信号を出力してから所定時間（例えば、５ｓｅｃ）が経過したか否かを判定する。所定時間が経過していない場合には、そのまま本処理を終了する。所定時間が経過している場合には、ステップＳ１８にてエラー出力処理を実行した後に無限ループに入る。
【０２７９】
エラー出力処理では、その旨のエラー情報をホールコンピュータＨＣに対して出力すると共に、音声ランプ制御装置２７２に対してエラーコマンドを出力する。ホールコンピュータＨＣでは、入力したエラー情報をエラーデータとして記憶する。この際、エラーが発生した対象がどのパチンコ機１０の主制御装置２７１かが分かる態様でエラーデータが記憶される。これにより、遊技ホールの管理者等はかかるエラーデータを確認することで、不正の発生及びその不正が発生した対象を確認することができる。ちなみに、主制御装置２７１のＣＰＵ５０１にて実行される不正検出処理にてエラー情報が出力された場合には、ホールコンピュータＨＣでは、入力したエラー情報をエラーデータとして、エラーが発生した対象がどのパチンコ機１０の払出制御装置３１１かが分かる態様で記憶する。
【０２８０】
また、音声ランプ制御装置２７２では、エラー報知を実行する。つまり、エラー報知では、スピーカ２０からエラー報知音を出力するとともに、エラー表示ランプ１０６を点灯させる。さらに、表示制御装置２１４に対してエラーコマンドを出力し、図柄表示装置４１にてエラー報知表示を行う。そして、無限ループに入っている間は、かかるエラー報知が継続される。これにより、不正が行われたことが、その不正行為が行われたパチンコ機１０において報知される。ちなみに、主制御装置２７１のＣＰＵ５０１にて実行される不正検出処理にてエラーコマンドが出力されることがあるため、図柄表示装置４１におけるエラー報知表示は不正が行われた対象が主制御装置２７１又は払出制御装置３１１のいずれであるかが分かるように行われる。
【０２８１】
以上詳述した本実施の形態によれば、以下の優れた効果を奏する。
【０２８２】
主制御装置２７１及び払出制御装置３１１の各封印シール３００，３２０には、それぞれＩＣタグ３０３，３２０ａを取り付けた。これにより、ＩＣタグ３０３，３２０ａからのＩＤ情報の読み取りを行うことで、主制御装置２７１又は払出制御装置３１１に対して不正行為が行われたか否かを確認することができる。この場合に、パチンコ機１０には、各ＩＣタグ３０３，３２０ａからＩＤ情報を読み取るリーダ装置５３１，５６１を搭載した。これにより、遊技ホールの管理者等がＩＤ情報の読み取り作業を行う必要がないため、ＩＤ情報の読み取りをいつでも効率良く行うことができる。
【０２８３】
但し、パチンコ機１０にリーダ装置５３１，５６１を搭載した構成においては、当該リーダ装置５３１，５６１に対する不正が想定される。例えば、リーダ装置５３１，５６１に対して不正な電子部品などを取り付けることで、実際にはＩＤ情報を読み取っていないにも関わらずＩＤ情報を読み取っているように偽装するなどといった不正が想定される。この場合、ＩＣタグ３０３，３２０ａを利用した不正の発見が正確に行われなくなってしまう。これに対して、各リーダ装置５３１，５６１を被包手段としての基板ボックス２７３，３１５に収容した。これにより、パチンコ機１０の背面部において各リーダ装置５３１，５６１が被包され、各リーダ装置５３１，５６１に対する不正を抑制することができる。
【０２８４】
また、上記のとおり基板ボックス２７３，３１５を各リーダ装置５３１，５６１の被包手段としたことにより、既存の基板ボックス２７３，３１５が被包手段としての機能を果たすこととなるため、構成の簡素化を図りつつ各リーダ装置５３１，５６１に対する不正を抑制することができる。
【０２８５】
各リーダ装置５３１，５６１を、ＩＤ情報の読み取り対象となるＩＣタグ３０３，３２０ａが取り付けられた制御装置２７１，３１１とは別の基板ボックス２７３，３１５に収容した。不正行為としては、制御装置２７１，３１１を不正な装置に交換するといった行為が想定される。この場合に、ＩＤ情報の読み取り対象となるＩＣタグ３０３，３２０ａが取り付けられた制御装置２７１，３１１の基板ボックス２７３，３１５にリーダ装置５３１，５６１を収容すると、不正を監視すべき対象である制御装置２７１，３１１が不正な装置に交換された際にリーダ装置５３１，５６１が不正なものに交換されるおそれがある。また、不正な電子部品等を制御基板２７８，３１１ａに取り付けたり、制御基板２７８，３１１ａを不正な基板に交換したりするために基板ボックス２７３，３１５を開封した際に、合わせてリーダ装置６３１，６５１に対して不正な電子部品等を取り付けられるおそれがある。これらの場合、リーダ装置５３１，５６１によるＩＤ情報の読み取りに基づいて制御装置２７１，３１１に対する不正を発見しようとしてもそれができない。これに対して、上記のとおり、各リーダ装置５３１，５６１を、ＩＤ情報の読み取り対象となるＩＣタグ３０３，３２０ａが取り付けられた制御装置２７１，３１１とは別の制御装置の基板ボックス２７３，３１５に収容したことにより、上記不都合の発生を抑制することができる。
【０２８６】
特に、主制御装置２７１に取り付けられた主側ＩＣタグ３０３からＩＤ情報を読み取る主用リーダ装置５３１を払出制御装置３１１の基板ボックス３１５内に収容するとともに、払出制御装置３１１に取り付けられた払出側ＩＣタグ３２０ａからＩＤ情報を読み取る払出用リーダ装置５６１を主制御装置２７１の基板ボックス２７３内に収容した。したがって、主制御装置２７１に対して行った不正を発見されないようにするためには、主制御装置２７１に取り付けられた主側ＩＣタグ３０３が破壊されている又は取り替えられていることを主用リーダ装置５３１において読み取れないようにする必要があり、払出制御装置３１１の基板ボックス３１５に収容された主用リーダ装置５３１に対しても不正を行う必要が生じる。その一方、払出制御装置３１１に対して行った不正を発見されないようにするためには、払出制御装置３１１に取り付けられた払出側ＩＣタグ３２０ａが破壊されている又は取り替えられていることを払出用リーダ装置５６１において読み取れないようにする必要があり、主制御装置２７１の基板ボックス２７３に収容された払出用リーダ装置５６１に対しても不正を行う必要が生じる。つまり、主制御装置２７１又は払出制御装置３１１のいずれか一方に不正を行い、それを発見されないようにするためには、他方に対しても不正を行う必要が生じる。したがって、主制御装置２７１又は払出制御装置３１１のいずれかに対して不正を行おうとする不正行為者にとってはその作業が手間となり、不正行為を躊躇させる効果が得られると考えられる。また、本構成においては、主用リーダ装置５３１と払出用リーダ装置５６１とが相互に不正を監視することとなるため、比較的簡素な構成により上記効果を得ることができる。
【０２８７】
払出制御装置３１１において主用リーダ装置５３１をパチンコ機１０の背面部に露出したボックスカバー３１８と払出制御基板３１１ａとの間に配設した。そして、ボックスカバー３１８は透明性材料により成形されている。これにより、払出制御装置３１１を台座プレート３２７から離脱させなくても、払出制御装置３１１の基板ボックス３１５内に収容された主用リーダ装置５３１を目視することができる。よって、主用リーダ装置５３１に動作不良が発生した場合には、当該主用リーダ装置５３１の確認を簡易的に行うことができる。なお、かかる構成は払出用リーダ装置５６１においても同様に適用されており、同様の効果を奏する。
【０２８８】
払出制御装置３１１において払出制御基板３１１ａの素子搭載面５３７における主用リーダ装置５３１のハウジング５３１ａと対峙する対峙領域Ｓには、電子部品及び配線パターンを不具備とした。主用リーダ装置５３１を払出制御装置３１１の基板ボックス３１５内に収容した構成において、当該基板ボックス３１５内に収容された払出制御基板３１１ａの電子部品や配線パターンが主用リーダ装置５３１のハウジング５３１ａによって隠れてしまうと、基板ボックス３１５を開封し主用リーダ装置５３１を取り外さない限りその隠れてしまった電子部品や配線パターンを目視することができない。これに対して、上記のとおり対峙領域Ｓには、電子部品及び配線パターンを不具備としたため、上記不都合の発生を抑制することができる。
【０２８９】
主用リーダ装置５３１及び払出用リーダ装置５６１をそれぞれ収容先の制御装置２７１，３１１における制御基板２７８，３１１ａに接続させた。これにより、各リーダ装置５３１，５６１から延びる信号線を基板ボックス２７３，３１５の外部に引き回す必要がなく、各リーダ装置５３１，５６１からの読み取り結果の出力に関する構成を良好なものとすることができる。
【０２９０】
各リーダ装置５３１，５６１をそれぞれ収容先の基板ボックス２７３，３１５において読み取り対象のＩＣタグ３０３，３２０ａに対して略鉛直方向に配置し（ＩＣタグ３０３，３２０ａに対峙させ）、さらに各基板ボックス２７３，３１５において読み取り対象のＩＣタグ３０３，３２０ａ側に偏倚させて配置した。これにより、各リーダ装置５３１，５６１が読み取り対象のＩＣタグ３０３，３２０ａに対して近い位置となり、各リーダ装置５３１，５６１における各ＩＤ情報の読み取りを良好に行うことができる。なお、各リーダ装置５３１，５６１と読み取り対象のＩＣタグ３０３，３２０ａとの間には、金属製の部材を不具備としたため、各リーダ装置５３１，５６１と読み取り対象のＩＣタグ３０３，３２０ａとの間における電波の送受が阻害されることはない。
【０２９１】
主側ＩＣタグ３０３のアンテナ部３０６と払出側ＩＣタグ３２０ａのアンテナ部３２０ｃとを異なるパターンで作製したことにより、各ＩＣタグ３０３，３２０ａの共振周波数を異ならせた。これにより、いずれかのリーダ装置５３１，５６１から呼出波が発信された場合、その呼出波によって対象外のＩＣタグ３０３，３２０ａから応答波が発信されてしまうことを確実に防止することができる。各ＩＣタグ３０３，３２０ａ及び各リーダ装置５３１，５６１が比較的近い位置にある構成においては、各リーダ装置５３１，５６１にて対象外のＩＣタグ３０３，３２０ａから応答波を受信してしまうことが想定されるが、各ＩＣタグ３０３，３２０ａの共振周波数を異ならせたことにより、これを抑制することができる。
【０２９２】
各ＩＣタグ３０３，３２０ａの応答波の伝播領域ＷＡ１，ＷＡ２に対象外のリーダ装置５３１，５６１が含まれないように、応答波の電波強度（リーダ装置５３１，５６１からの呼出波の電波強度）を設定した。これにより、各リーダ装置５３１，５６１にて対象外のＩＣタグ３０３，３２０ａから応答波を受信してしまうことを確実に防止することができる。
【０２９３】
なお、上述した実施の形態の記載内容に限定されず、例えば次のように実施してもよい。
【０２９４】
（１）リーダ装置の設置に関する構成の変形例を図３８（ａ），（ｂ）に示す。図３８（ａ），（ｂ）は主用リーダ装置の設置に関する構成を説明するための説明図である。
【０２９５】
図３８（ａ）では、主用リーダ装置５８１は、主制御装置２７１と当該主制御装置２７１の取付台５８２との間に配設されている。詳細には、取付台５８２には、主制御装置２７１の封印シール３００と対峙する位置に裏面側に凹ませて収容部５８３が形成されている。収容部５８３は主制御装置２７１側に開放されている。そして、この開放部が主制御装置２７１のボックスベース２７６によって塞がれている。つまり、収容部５８３と主制御装置２７１との間に形成された収容空間は閉じられた空間となっている。この収容空間に主用リーダ装置５８１が設置されている。この場合に、主用リーダ装置５８１はそのリーダアンテナ５８４が主制御装置２７１の封印シール３００と対峙するように配置されており、封印シール３００のＩＣタグ３０３からＩＤ情報を読み取ることができる。以上の構成においては、取付台５８２から主制御装置２７１を取り外さない限り主用リーダ装置５８１を露出させることができない。よって、主用リーダ装置５８１に対する不正行為を抑制することができる。
【０２９６】
図３８（ｂ）では、主用リーダ装置５９１は、主制御装置２７１の取付台５９２の裏面側に設置されている。この場合に、主用リーダ装置５９１はそのリーダアンテナ５９３が主制御装置２７１の封印シール３００と対峙するように配置されており、封印シール３００のＩＣタグ３０３からＩＤ情報を読み取ることができる。ここで、上記実施の形態と同様に、取付台５９２は遊技盤３０の裏面に設けられており、取付台５９２の裏面は遊技盤３０の裏面と対峙している。さらには、取付台５９２の裏面には主用リーダ装置５９１を囲むようにして周囲壁５９４が一体形成されており、周囲壁５９４の先端は遊技盤３０の裏面に当接している。したがって、遊技盤３０から取付台５９２を取り外し、又は後退させない限り主用リーダ装置５９１を露出させることができない。よって、主用リーダ装置５９１に対する不正行為を抑制することができる。
【０２９７】
（２）各リーダ装置５３１，５６１によるＩＤ情報の読み取りに関する電気的構成の変形例を、図３８のブロック図に基づいて説明する。
【０２９８】
図３８に示すように、払出制御装置３１１に設けられた主用リーダ装置５３１、及び主制御装置２７１に設けられた払出用リーダ装置５６１は、それぞれ設置された制御装置２７１，３１１のＣＰＵ５０１，５１１に読み取り結果を出力するのではなく、遊技ホールのホールコンピュータＨＣに読み取り結果を出力する（なお、かかる読み取り結果の出力は有線通信又は無線通信のいずれであってもよい）。したがって、各リーダ装置５３１，５６１にて読み取ったＩＤ情報はホールコンピュータＨＣにて入力される。
【０２９９】
この際、各リーダ装置５３１，５６１からはＩＤ情報と共に各リーダ装置５３１，５６１に設定された識別用固有情報が出力される。なお、各リーダ装置５３１，５６１はＩＣタグ３０３，３２０ａに対して１対１で対応させて設けられているので、識別用固有情報は各ＩＣタグ３０３，３２０ａに対応していると言える。
【０３００】
ホールコンピュータＨＣでは、管理データとして記憶されている管理用のＩＤ情報と、入力したＩＤ情報との比較処理を実行する。かかる比較処理は上記実施の形態において説明したとおりである。そして、その比較の結果、ＩＤ情報が一致しなかった場合にはその結果をエラーデータとして記憶するとともに、エラーデータの内容をホールコンピュータＨＣに設けられた表示部６０１に表示する。また、ホールコンピュータＨＣでは、所定期間に亘って入力しなかったＩＤ情報についてもエラーデータとして記憶するとともに、エラーデータの内容を表示部６０１に表示する。
【０３０１】
上記のように各リーダ装置５３１，５６１によるＩＤ情報の読み取り結果をホールコンピュータＨＣに直接入力するようにした構成において、各リーダ装置５３１，５６１に対する電力は設置された制御装置２７１，３１１を介して供給されている。ここで、上記のとおり各制御装置２７１，３１１のＲＡＭ５０３，５１３には電源及び発射制御装置３１３に設けられたデータ記憶保持用電源部６０２（データ記憶保持用コンデンサ６０２）からデータ記憶保持用電力が供給され、パチンコ機１０の電源の遮断後においてもデータが保持されるようになっている。この場合に、かかるデータ記憶保持用電源部６０２からの電力が各リーダ装置５３１，５６１にも供給されるようになっている。つまり、パチンコ機１０の電源の遮断後においても各リーダ装置５３１，５６１にてＩＤ情報の読み取りが行われ、その読み取り結果がホールコンピュータＨＣに出力されている。これにより、パチンコ機１０の電源の遮断後においても主制御装置２７１及び払出制御装置３１１に対する不正を監視することができる。なお、データ記憶保持用電源部６０２は、コンデンサに限定されることはなく、バッテリーや電池等であってもよい。
【０３０２】
（３）上記（２）の構成において、各リーダ装置５３１，５６１にデータ記憶保持用電力を供給するか否かは任意である。また、電源及び発射制御装置３１３に設けられたデータ記憶保持用電源部６０２から各リーダ装置５３１，５６１に電力を供給するのではなく、対応する制御装置２７１，３１１に遮断時用電源部を設け、当該電源部から各リーダ装置５３１，５６１に電力を供給するようにしてもよい。また、ホールコンピュータＨＣ側から各リーダ装置５３１，５６１に通常時電力及び／又は遮断時用電力を供給するようにしてもよい。
【０３０３】
（４）上記実施の形態では、主制御装置２７１と払出制御装置３１１とのそれぞれにＩＣタグ３０３，３２０ａを取り付けたが、主制御装置２７１のみにＩＣタグを取り付けるようにしてもよい。この場合、そのＩＣタグに対するリーダ装置を上記実施の形態と同様に、払出制御装置３１１に搭載するようにしてもよい。また、音声ランプ制御装置２７２や電源及び発射制御装置３１３に搭載するようにしてもよい。
【０３０４】
また、主制御装置２７１に取り付けたＩＣタグのリーダ装置を、主制御装置２７１の基板ボックス２７３内に搭載するようにしてもよい。この場合、ＩＣタグの取り付け対象と、そのＩＣタグのリーダ装置の収容対象とが同一となる。
【０３０５】
（５）上記実施の形態では、払出制御装置３１１において主用リーダ装置５３１をボックスカバー３１８と払出制御基板３１１ａとの間に配設したが、これに代えて、ボックスベース３１７と払出制御基板３１１ａとの間に配設してもよい。この場合、払出制御装置３１１を台座プレート３２７に設置した状態では、主用リーダ装置５３１を目視することができなくなるが、その代わりに主用リーダ装置５３１をパチンコ機１０の背面部において隠すことができる。主用リーダ装置５３１をパチンコ機１０の背面部において隠すことで、主用リーダ装置５３１に対する不正を抑制することができる。
【０３０６】
なお、かかる構成を払出用リーダ装置５６１において適用することで、同様の効果を奏することができる。
【０３０７】
（６）主制御装置２７１と払出制御装置３１１だけでなく、音声ランプ制御装置２７２等の他の制御装置にもＩＣタグを取り付けてもよい。この場合に、各ＩＣタグに１対１で対応させてリーダ手段（上記実施の形態では、リーダ装置）を設け、それらリーダ手段を読み取り対象とは異なるＩＣタグが取り付けられた制御装置の基板ボックスに収容する。つまり、主制御装置２７１用のリーダ手段を払出制御装置３１１の基板ボックスに収容し、払出制御装置３１１用のリーダ手段を音声ランプ制御装置２７２の基板ボックスに収容し、音声ランプ制御装置２７２用のリーダ手段を主制御装置２７１の基板ボックスに収容する。これにより、主制御装置２７１、払出制御装置３１１、又は音声ランプ制御装置２７２のいずれかに不正を行い、それを発見されないようにするためには、それら全ての制御装置２７１，３１１，２７２に設けられたリーダ手段に対しても不正を行う必要が生じ、不正行為者にとってはその作業が手間となる。よって、不正行為を躊躇させることができる。
【０３０８】
なお、かかる構成を４つ以上の制御装置に対して行うようにすることで、上記効果はより顕著なものとなる。
【０３０９】
（７）上記実施の形態では、リーダ手段をリーダ装置として設けたが、かかるリーダ手段を主制御基板２７８や払出制御基板３１１ａに対してリーダ回路として形成してもよい。つまり、主制御基板２７８や払出制御基板３１１ａの所定の板面（例えば、素子搭載面）にリーダ回路用の配線パターンを形成するとともに、電子部品を搭載することでリーダ回路を形成する。これにより、リーダ手段をリーダ装置として設ける構成に比べ、リーダ手段の嵩を小さくすることができ、上記実施の形態に比べ、主制御装置２７１や払出制御装置３１１の薄型化を図ることが可能となる。
【０３１０】
この場合に、リーダ回路を制御基板２７８，３１１ａにおけるボックスカバーを向く面（すなわち、パチンコ機１０後方を向く面）に形成することで、制御装置２７１，３１１を取り外すことなくリーダ回路を確認することができる。一方、リーダ回路を制御基板２７８，３１１ａにおけるボックスベースを向く面（すなわち、遊技盤３０の背面を向く面）に形成することで、パチンコ機１０の背面部においてリーダ回路を隠すことができる。
【０３１１】
（８）上記実施の形態において遊技中はリーダ装置５３１，５６１から呼出波を発信しないようにしてもよい。つまり、遊技球発射機構１６０から遊技球が発射されている間、遊技領域を遊技球が流下している間、図柄表示装置４１において図柄の可変表示が行われている間、及び払出装置３５８から遊技球が払い出されている間などにはリーダ装置５３１，５６１から呼出波を発信しないようにする。遊技中に電波が発信されると、それがノイズとなり各種制御装置などが誤作動することで遊技の正常な進行が阻害されるおそれがあるが、本構成とすることによりかかる不都合の発生を抑制することができる。
【０３１２】
（９）上記実施の形態では、主側ＩＣタグ３０３のアンテナ部３０６と払出側ＩＣタグ３２０ａのアンテナ部３２０ｃとをそれぞれ異なる共振周波数となるように作製したが、これらを同一の共振周波数となるように作製してもよい。かかる構成であっても、各ＩＣタグ３０３，３２０ａから発信される電波の伝播範囲に対象外のリーダ装置５３１，５６１が含まれていないため、各リーダ装置５３１，５６１において識別情報が混同されてしまうことを防止することができる。
【０３１３】
（１０）上記実施の形態では、各ＩＣタグ３０３，３２０ａから発信される電波の伝播範囲に対象外のリーダ装置５３１，５６１が含まれないようにしたが、含まれるようにしてもよい。この場合であっても、主側ＩＣタグ３０３からのＩＤ情報の読み取り時期と払出側ＩＣタグ３２０ａからのＩＤ情報の読み取り時期とを異ならせることで、各リーダ装置５３１，５６１において識別情報が混同されてしまうことを抑制することができる。
【０３１４】
（１１）上記実施の形態では、主用リーダ装置５３１と払出制御装置３１１のＣＰＵ５１１との間に信号経路が形成され、主用リーダ装置５３１におけるＩＤ情報の読み取り結果に基づく不正検出処理を払出制御装置３１１のＣＰＵ５１１にて実行するようにしたが、これに代えて、主用リーダ装置５３１と払出制御装置３１１のＣＰＵ５１１との間に信号経路を形成することなく、主用リーダ装置５３１と音声ランプ制御装置２７２との間に信号経路を形成し、当該音声ランプ制御装置２７２にて主用リーダ装置５３１におけるＩＤ情報の読み取り結果に基づく不正検出処理を実行するようにしてもよい。
【０３１５】
また、同様に、払出用リーダ装置５６１と主制御装置２７１のＣＰＵ５０１との間に信号経路を形成することなく、払出用リーダ装置５６１と音声ランプ制御装置２７２との間に信号経路を形成し、当該音声ランプ制御装置２７２にて払出用リーダ装置５６１におけるＩＤ情報の読み取り結果に基づく不正検出処理を実行するようにしてもよい。
【０３１６】
また、主用リーダ装置５３１及び払出用リーダ装置５６１のそれぞれと音声ランプ制御装置２７２との間に信号経路を形成し、当該音声ランプ制御装置２７２にて主用リーダ装置５３１及び払出用リーダ装置５６１のそれぞれにおけるＩＤ情報の読み取り結果に基づく不正検出処理を実行するようにしてもよい。
【０３１７】
また、主用リーダ装置５３１及び払出用リーダ装置５６１のそれぞれにて独自に不正検出処理を実行し、主制御装置２７１のＣＰＵ５０１や払出制御装置３１１のＣＰＵ５１１などで不正検出処理を実行しないようにしてもよい。当該構成においては、それら各不正検出処理における検出結果を、収容先の制御装置のＣＰＵに対して出力するようにしてもよく、また音声ランプ制御装置２７２や表示制御装置２１４に出力するようにしてもよい。
【０３１８】
また、主用リーダ装置５３１及び払出用リーダ装置５６１のそれぞれにて独自に不正検出処理を実行する構成においては、主用リーダ装置５３１及び払出用リーダ装置５６１をスピーカ２０やエラー表示ランプ１０６に電気的に接続しておき、エラー報知を実行する際は主用リーダ装置５３１及び払出用リーダ装置５６１がスピーカ２０やエラー表示ランプ１０６を直接駆動するようにしてもよい。さらに、主用リーダ装置５３１及び払出用リーダ装置５６１にスピーカなどを搭載しておき、エラー報知を実行する際はそのスピーカを駆動しエラー報知音を出力させるようにしてもよい。
【０３１９】
（１２）主制御装置２７１における封印シールの貼り付けに関する構成を払出制御装置３１１において適用してもよい。つまり、払出制御装置３１１の基板ボックス３１５に、主制御装置２７１の貼付板部２８１，２８２と同様の貼付板部を形成し、その貼付板部に封印シール３２０を貼り付ける。この場合に、かかる貼付板部の締結の構成、その締結具と払出側ＩＣタグ３２０ａとの位置関係の構成等に対して、主制御装置２７１における構成を適用する。これにより、基板ボックス３１５の開封が行われた場合に払出側ＩＣタグ３２０ａ（アンテナ部３２０ｃ）の破壊が確実に発生し、かかる不正行為を確実に発見することが可能となる。
【０３２０】
（１３）上記実施の形態では、直線状に延びるアンテナ部３０６，３２０ｃを有するＩＣタグ３０３，３２０ａを用いたが、これに代えて、略直線状又は弧状に延びるアンテナ部を有するＩＣタグを用いてもよい。
【０３２１】
（１４）上記実施の形態では、ＩＣタグ３０３，３２０ａを有する封印シール３００，３２０を、主制御装置２７１及び払出制御装置３１１それぞれの基板ボックス２７３，３１５外面に貼り付ける構成としたが、この構成を変更する。例えば、同基板ボックス２７３，３１５の内周面に貼り付けても良い。また、基板ボックス２７３，３１５を構成する樹脂材にＩＣタグ３０３，３２０ａを埋設しても良い。さらに、ＩＣタグ３０３，３２０ａを有するシール部材を基板部材に直接貼り付けても良い。
【０３２２】
（１５）上記実施の形態では、ＩＣタグ３０３，３２０ａはリーダ装置からの呼出波を受信することにより識別情報を応答波として発信する構成としたが、これに代えて、識別情報を含んだ電波を常時発信するＩＣタグとしてもよい。
【０３２３】
（１６）上記実施の形態では、第１図柄の変動表示を行う図柄表示装置４１と別に第１特定ランプ部４７を設ける構成としたが、第１特定ランプ部４７を設けずともよい。
【０３２４】
（１７）上記実施の形態では、表示制御装置２１４は音声ランプ制御装置２７２から入力する表示コマンドに基づいて図柄表示装置４１を制御する構成としたが、これを変更してもよい。例えば、表示制御装置２１４は主制御回路５００から入力する表示コマンドに基づいて図柄表示装置４１を制御するとともに、音声ランプ制御装置２７２に対して音声ランプコマンドを出力するようにする。そして、音声ランプ制御装置２７２は、表示制御装置２１４から入力する音声ランプコマンドに基づいてスピーカ２０や各種ランプ１０２〜１０６を駆動制御するようにする。かかる構成においては、主制御装置２７１及び払出制御装置３１１における不正検出処理で出力されるエラーコマンドは、表示制御装置２１４にて入力される。
【０３２５】
また、表示制御装置２１４と音声ランプ制御装置２７２とを別個に設けるのではなく、両者の機能が集約された一のサブ制御装置を設ける構成としてもよい。かかる構成においては、主制御装置２７１及び払出制御装置３１１における不正検出処理で出力されるエラーコマンドは、そのサブ制御装置にて入力される。
【０３２６】
（１８）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、電子タグ及びリーダ手段を設けた本発明を適用できる。
【０３２７】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組合せが成立していた場合にはメダルの払い出し等といった特典を遊技者に付与するスロットマシンにも、電子タグ及びリーダ手段を設けた本発明を適用できる。
【０３２８】
また、取込装置を備え、貯留部に貯留されている所定数の遊技球が取込装置により取り込まれた後にスタートレバーが操作されることによりリールの回転を開始する、パチンコ機とスロットマシンとが融合された遊技機にも、電子タグ及びリーダ手段を設けた本発明を適用できる。
【符号の説明】
【０３２９】
１０…遊技機としてのパチンコ機、１１…外枠、１２…本体枠、１３…前扉枠、１８…遊技球発射ハンドル、３０…遊技盤、３１…一般入賞口、３２…可変入賞装置、３３…作動口、２７１…主制御装置、２７３…被包手段としての基板ボックス、２７８…主制御基板、３００…第１シール部材としての封印シール、３０１…ベースシート、３０２…粘着層、３０３…第１電子タグとしてのＩＣタグ、３０５…記憶部としてのＩＣチップ、３０６…アンテナ部、３１１…払出制御装置、３１１ａ…払出制御基板、３１５…被包手段としての基板ボックス、３２０…第２シール部材としての封印シール、３２０ａ…第２電子タグとしてのＩＣタグ、３２０ｂ…記憶部としてのＩＣチップ、３２０ｃ…アンテナ部、５１１…ＣＰＵ、５３１…第１リーダ手段としての主用リーダ装置、５３１ａ…ハウジング、５３７…素子搭載面、５５２…入力手段としてのコネクタ、５６１…第２リーダ手段としての払出用リーダ装置、ＨＣ…ホールコンピュータ、Ｓ…対峙領域、ＷＡ１，ＷＡ２…伝播範囲。
【図１】
2014223536.tif 000003
【図２】
2014223536.tif 000004
【図３】
2014223536.tif 000005
【図４】
2014223536.tif 000006
【図５】
2014223536.tif 000007
【図６】
2014223536.tif 000008
【図７】
2014223536.tif 000009
【図８】
2014223536.tif 000010
【図９】
2014223536.tif 000011
【図１０】
2014223536.tif 000012
【図１１】
2014223536.tif 000013
【図１２】
2014223536.tif 000014
【図１３】
2014223536.tif 000015
【図１４】
2014223536.tif 000016
【図１５】
2014223536.tif 000017
【図１６】
2014223536.tif 000018
【図１７】
2014223536.tif 000019
【図１８】
2014223536.tif 000020
【図１９】
2014223536.tif 000021
【図２０】
2014223536.tif 000022
【図２１】
2014223536.tif 000023
【図２２】
2014223536.tif 000024
【図２３】
2014223536.tif 000025
【図２４】
2014223536.tif 000026
【図２５】
2014223536.tif 000027
【図２６】
2014223536.tif 000028
【図２７】
2014223536.tif 000029
【図２８】
2014223536.tif 000030
【図２９】
2014223536.tif 000031
【図３０】
2014223536.tif 000032
【図３１】
2014223536.tif 000033
【図３２】
2014223536.tif 000034
【図３３】
2014223536.tif 000035
【図３４】
2014223536.tif 000036
【図３５】
2014223536.tif 000037
【図３６】
2014223536.tif 000038
【図３７】
2014223536.tif 000039
【図３８】
2014223536.tif 000040
【図３９】
2014223536.tif 000041